(57)【要約】【課題】  時計と撮影画像を連動させて表示することによって撮影時間帯を分かりやすくし、画像を検索しやすくした時計と画像の連動表示方法と、カレンダと撮影画像を連動させて表示することによって、同一期間内に多数の撮影画像があるときの一覧性を良くし、画像を検索しやすくする時計と画像の連動表示方法、カレンダと画像の連動表示方法と、画像表示装置、撮像装置、情報検索カレンダ表示システム、及びプログラムの提供。【解決手段】  画像表示装置のメモリに記録されている撮影画像を再生表示すると撮影日を日付に含む月間カレンダ１４２を再生画像１４１に並べて表示し、撮影日に対応する日付１４３を強調表示する。これにより、再生画像の撮影日時がわかりやすく、撮影時の情景や出来事などが思い出しやすい。【選択図】  図１４
2005130275.tif 000002
【特許請求の範囲】
【請求項１】
メモリに記録されている画像を再生する画像再生手段と、再生された画像を表示する再生画像表示手段を備えた画像表示装置の時計と画像の連動表示方法であって、
画面上に時計を表示し、この時計が指している時刻に撮影された画像を再生して前記時計に並べて表示し、前記時計が指している時刻の変化に伴ってその時刻に撮影された画像を再生して表示することを特徴とする時計と画像の連動表示方法。
【請求項２】
請求項１記載の時計と画像の連動表示方法において、更に、画像のページ送りを行うと、前記時計の時刻をページ送りに伴って表示される画像の撮影時刻に変更して表示することを特徴とする時計と画像の連動表示方法。
【請求項３】
請求項１または請求項２記載の時計と画像の連動表示方法において、前記時計表示はアナログ時計表示であることを特徴とする時計と画像の連動表示方法。
【請求項４】
メモリに記録されている画像を再生する画像再生手段と、再生された画像を表示する再生画像表示手段を備えた画像表示装置の時計と画像の連動表示方法であって、
画面上に、画像と、該画像に並べて該画像の撮影時刻をアナログ表示した時計とを表示し、前記画像をページ送りすると、前記時計が指している時刻を画像のページ送りに伴って再生表示される画像の撮影時刻に変更して表示することを特徴とする時計と画像の連動表示方法。
【請求項５】
請求項１乃至４のいずれか１項に記載の時計と画像の連動表示方法において、前記表示画像は指定した日に撮影された画像の縮小画像であることを特徴とする時計と画像の連動表示方法。
【請求項６】
請求項１乃至４のいずれか１項に記載の時計と画像の連動表示方法において、前記表示画像は指定した日に撮影された画像の再生画像であることを特徴とする時計と画像の連動表示方法。
【請求項７】
請求項１乃至４のいずれか１項に記載の時計と画像の連動表示方法において、前記表示画像は複数の日にまたがった期間内に撮影された画像の縮小画像であり、表示切り替え操作により相対的に大きな画像を表示可能である、ことを特徴とする時計と画像の連動表示方法。
【請求項８】
請求項１乃至４のいずれか１項に記載の時計と画像の連動表示方法において、前記表示画像は複数の日にまたがった期間内に撮影された画像の再生画像であることを特徴とする時計と画像の連動表示方法。
【請求項９】
請求項１乃至４のいずれか１項に記載の時計と画像の連動表示方法において、時刻とは時間帯であることを特徴とする時計と画像の連動表示方法。
【請求項１０】
メモリに記録されている画像を再生する画像再生手段と、再生された画像を表示する表示手段を備えた画像表示装置のカレンダと画像の連動表示方法であって、
画面上に、画像と、該画像に並べて該画像の撮影日を含む期間からなるカレンダを表示し、前記画像をページ送りすると、前記カレンダを画像のページ送りに伴って表示される画像の撮影日を含む期間のカレンダに変更して表示することを特徴とするカレンダと画像の連動表示方法。
【請求項１１】
請求項１０記載のカレンダと画像の連動表示方法において、表示されている画像の撮影日に対応する前記カレンダ上の日付欄を強調表示することを特徴とするカレンダと画像の連動表示方法。
【請求項１２】
メモリに記録されている画像を再生する画像再生手段と、再生された画像を表示する表示手段を備えた画像表示装置のカレンダと画像の連動表示方法であって、
所定の期間の日付を一覧表示してなるカレンダを表示し、前記カレンダに表示されている日付と同じ撮影日の画像を再生して対応する日付の日付欄に表示し、前記カレンダに表示されている日付と同じ撮影日の画像が複数ある場合には代表画像をその日付に対応する日付欄に表示し、前記カレンダの日付のうち代表画像が表示されている日付を選択すると、その代表画像を相対的に大きく表示し、ページ送り／戻し操作をするとその日付に相当する日に撮影された画像をページ送り／戻して再生し、前記日付欄に表示することを特徴とするカレンダと画像の連動表示方法。
【請求項１３】
メモリに記録されている画像を再生する画像再生手段と、再生された画像を表示する表示手段を備えた画像表示装置のカレンダと画像の連動表示方法であって、
所定の期間の時間帯を一覧表示してなるカレンダを表示し、前記カレンダに表示されている時刻のうちのある時刻と同じ撮影時刻の画像を再生してその時刻を含む時間帯に表示することを特徴とするカレンダと画像の連動表示方法。
【請求項１４】
請求項１３に記載のカレンダと画像の連動表示方法において、前記カレンダに表示されている時間帯のうちのある時間帯と同じ撮影時刻の画像が複数ある場合には代表画像をその時間帯に表示し、前記カレンダの時間帯のうち代表画像が表示されている時間帯を選択すると、その代表画像を相対的に大きく表示し、ページ送り／戻し操作をするとその時間帯に相当する時刻に撮影された画像をページ送り／戻して再生し、表示することを特徴とするカレンダと画像の連動表示方法。
【請求項１５】
請求項１２記載のカレンダと画像の連動表示方法において、前記表示する画像は指定した日に撮影された画像の縮小画像であることを特徴とするカレンダと画像の連動表示方法。
【請求項１６】
請求項１２記載のカレンダと画像の連動表示方法において、前記表示する画像は複数の日にまたがった期間内に撮影された画像の縮小画像であり、表示切り替え操作により相対的に大きな画像を表示可能である、ことを特徴とするカレンダと画像の連動表示方法。
【請求項１７】
請求項１２記載のカレンダと画像の連動表示方法において、前記カレンダの周囲に該カレンダに表示されている画像の撮影時刻を表すグラフ状の時刻表示を行うことを特徴とするカレンダと画像の連動表示方法。
【請求項１８】
請求項１７記載のカレンダと画像の連動表示方法において、前記グラフ状に表示された時刻のうち選択された時刻に撮影された画像を相対的に大きくして表示することを特徴とするカレンダと画像の連動表示方法。
【請求項１９】
メモリに記録されている画像を再生する画像再生手段と、再生された画像を表示する表示手段を備えた画像表示装置のカレンダと画像の連動表示方法であって、
カレンダの周囲に該カレンダに表示されている画像の撮影時刻を表すグラフ状の時刻表示を行うことを特徴とするカレンダと画像の連動表示方法。
【請求項２０】
請求項１７乃至１９のいずれか１項に記載のカレンダと画像の連動表示方法において、撮影された画像は動画であることを特徴とするカレンダと画像の連動表示方法。
【請求項２１】
メモリに記録されている画像を再生する画像再生手段と、再生された画像を表示する表示手段を備えた画像表示装置のカレンダと画像の連動表示方法であって、
所定の期間の日付を一覧表示してなるカレンダを表示し、現在日に撮影された画像の縮小画像を再生して前記カレンダの日付欄のうちの現在日に対応する日付欄に表示し、切替指示があるとその日付欄または該日付欄に表示されている縮小画像に関連付けて撮影画像に係わる情報を表示することを特徴とするカレンダと画像の連動表示方法。
【請求項２２】
メモリに記録されている画像を再生し、再生された画像を表示する画像表示装置において、
画面上にアナログ時計を表示するアナログ時計表示手段と、このアナログ時計が指している時刻に撮影された画像を再生して前記時計に並べて表示する画像表示手段と、を備え、
前記画像表示手段は、前記時計が指している時刻の変化に伴ってその時刻に撮影された画像を再生して表示することを特徴とする画像表示装置。
【請求項２３】
請求項２２に記載の画像表示装置において、更に、画像のページ送りを行うページ送り手段を備え、前記アナログ時計の時刻を画像のページ送りに伴って表示される画像の撮影時刻に変更する時刻変更手段を備えたことを特徴とする画像表示装置。
【請求項２４】
メモリに記録されている画像を再生し、再生された画像を表示する画像表示装置において、
画面上に、画像と、該画像に並べて該画像の撮影日を含む期間からなるカレンダを表示するカレンダ表示手段と、前記画像をページ送りするページ送り手段と、前記カレンダを画像のページ送りに伴って表示される画像の撮影日を含む期間のカレンダに変更するカレンダ変更手段と、表示されている画像の撮影日に相当する前記カレンダ上の日付欄を強調表示する強調表示手段と、を備えたことを特徴とする画像表示装置。
【請求項２５】
メモリに記録されている画像を再生し、再生された画像を表示する画像表示装置において、
所定の期間の日付を一覧表示してなるカレンダを表示するカレンダ表示手段と、前記カレンダに表示されている日付と同じ撮影日の画像を再生して対応する日付の日付欄に表示する画像表示手段と、前記カレンダに表示されている日付と同じ撮影日の画像が複数ある場合には代表画像をその日付に対応する日付欄に表示する代表画像表示手段と、前記カレンダの日付のうち画像が表示されている日付を選択する画像選択手段と、前記画像選択手段によって選択された画像を相対的に大きく表示する代表画像表示手段と、ページ送り／戻し操作をするとその日付に相当する日に撮影された画像をページ送り／戻して再生し、前記日付欄に表示するページ送り画像表示手段と、を備えたことを特徴とする画像表示装置。
【請求項２６】
メモリに記録されている画像を再生し、再生された画像を表示する画像表示装置において、
所定の期間の時間帯を一覧表示してなるカレンダを表示するカレンダ表示手段と、前記カレンダに表示されている時刻のうちのある時刻と同じ撮影時刻の画像を再生してその時刻を含む時間帯に表示する画像表示手段と、を備えたことを特徴とする画像表示装置。
【請求項２７】
請求項２４又は２５に記載の画像表示装置において、前記期間は日であり、前記日付欄に表示する画像はその日に撮影された画像の縮小画像であることを特徴とする画像表示装置。
【請求項２８】
請求項２４又は２５に記載の画像表示装置において、前記期間は連続する日であり、前記表示する画像は前記期間内に撮影された画像の縮小画像であり、表示切り替え操作により前記縮小画像に対応する画像を再生して表示する、ことを特徴とする画像表示装置。
【請求項２９】
請求項２５記載の画像表示装置において、前記カレンダの周囲に該カレンダに表示されている画像の撮影時刻を表すグラフ状の時刻表示を行う手段を備えたことを特徴とする画像表示装置。
【請求項３０】
請求項２９記載の画像表示装置において、前記グラフ状に表示された時刻のうち選択された時刻に撮影された画像を相対的に大きくして表示する手段を備えたことを特徴とする画像表示装置。
【請求項３１】
メモリに記録されている画像を再生し、再生された画像を表示する画像表示装置において、
所定の期間の日付を一覧表示してなるカレンダを表示するカレンダ表示手段と、現在日に撮影された画像の縮小画像を再生して前記カレンダの日付欄のうちの現在日に対応する日付欄に表示する縮小画像表示手段と、日付欄を指定して表示内容の切り替え指示を行う切替指示手段と、前記切替指示手段による切替指示があると指定された日付欄または該日付欄に表示されている縮小画像に関連付けて撮影画像に係わる情報を表示する情報表示手段と、を備えたことを特徴とする画像表示装置。
【請求項３２】
被写体を撮影してその画像データを生成する撮像手段と、生成した画像を記録するメモリと、前記メモリに記録されている画像を再生して表示する画像再生モードを備えた撮像装置において、
画像再生モード時に、
画面上に、画像と、該画像に並べて該画像の撮影日を含む期間からなるカレンダを表示するカレンダ表示手段と、前記画像をページ送りするページ送り手段と、前記カレンダを画像のページ送りに伴って表示される画像の撮影日を含む期間のカレンダに変更するカレンダ変更手段と、表示されている画像の撮影日に相当する前記カレンダ上の日付欄を強調表示する強調表示手段と、を備えたことを特徴とする撮像装置。
【請求項３３】
被写体を撮影してその画像データを生成する撮像手段と、生成した画像を記録するメモリと、前記メモリに記録されている画像を再生して表示する画像再生モードを備えた撮像装置において、
画像再生モード時に、
所定の期間の日付を一覧表示してなるカレンダを表示するカレンダ表示手段と、前記カレンダに表示されている日付と同じ撮影日の画像を再生して対応する日付の日付欄に表示する画像表示手段と、前記カレンダに表示されている日付と同じ撮影日の画像が複数ある場合には代表画像をその日付に対応する日付欄に表示する代表画像表示手段と、前記カレンダの日付のうち画像が表示されている日付を選択する画像選択手段と、前記画像選択手段によって選択された画像を相対的に大きく表示する代表画像表示手段と、ページ送り／戻し操作をするとその日付に相当する日に撮影された画像をページ送り／戻して再生し、前記日付欄に表示するページ送り画像表示手段と、を備えたことを特徴とする撮像装置。
【請求項３４】
被写体を撮影してその画像データを生成する撮像手段と、生成した画像を記録するメモリと、前記メモリに記録されている画像を再生して表示する画像再生モードを備えた撮像装置において、
画像再生モード時に、
所定の期間の日付を一覧表示してなるカレンダを表示するカレンダ表示手段と、現在日に撮影された画像の縮小画像を再生して前記カレンダの日付欄のうちの現在日に対応する日付欄に表示する縮小画像表示手段と、日付欄を指定して表示内容の切り替え指示を行う切替指示手段と、前記切替指示手段による切替指示があると指定された日付欄または該日付欄に表示されている縮小画像に関連付けて撮影画像に係わる情報を表示する情報表示手段と、を備えたことを特徴とする撮像装置。
【請求項３５】
通信ネットワークに接続可能な複数の情報端末と、前記通信ネットワークに接続し、該通信ネットワークに接続した情報端末とデータの授受を行うサーバからなるネットワークシステムにおいて、
前記サーバは、所定の分野、月、及び日の順に分類された画像データと、各画像に対応付けられたＵＲＬと、各画像に対応付けられた報知情報とを格納したデータベースを備え、
前記通信ネットワークに接続している情報端末からカレンダ送信要求を受信すると、指定された分野及び年月のカレンダを生成し、生成されたカレンダと該カレンダに含まれる日付と同じ日に撮影された画像の縮小画像データをカレンダ送信要求元の情報端末に送信し、
情報端末から画像及び説明情報送信要求を受信すると、指定された画像の画像データと各画像に対応付けられた報知情報とを前記データベースから取り出して画像及び説明情報送信要求元の情報端末に送信し、
前記情報端末は、前記通信ネットワークに接続すると、表示するカレンダの分野を選択する分野選択画像を表示し、分野が選択されると選択された分野及び指定年月を含むカレンダ送信要求を生成して前記サーバに送信し、
前記サーバからカレンダデータ及び縮小画像データを受信すると、受信したカレンダデータ及び縮小画像データに基づいて、日付欄に同じ日付で撮影された画像の縮小画像を表示した分野別かつ指定年月を期間とするカレンダを表示し、
前記カレンダに表示された縮小画像が指定されると、指定された画像の識別情報を含む画像及び説明情報送信要求を生成して前記サーバに送信し、前記サーバから指定した画像の画像データと各画像に対応付けられた報知情報とを受信すると、前記受信した画像データを再生して表示すると共に、該画像に対応付けられている報知情報を表示することを特徴とする情報検索カレンダ表示システム。
【請求項３６】
メモリに記録されている画像を再生する画像再生手段と、再生された画像を表示する再生画像表示手段を備えた画像表示装置において実行可能なプログラムであって、
前記メモリに記録されている画像を再生させるプログラムステップと、再生された画像を表示させるプログラムステップと、表示された画像に並べて該画像の撮影時刻をアナログ表示した時計を表示させるプログラムステップと、前記画像のページ送りの有無を検出させるプログラムステップと、前記画像のページ送りが検出されると、時計が指している時刻を画像のページ送りに伴って再生表示される画像の撮影時刻に変更して表示させるプログラムステップと、を備えたことを特徴とするプログラム。
【請求項３７】
メモリに記録されている画像を再生する画像再生手段と、再生された画像を表示する再生画像表示手段を備えた画像表示装置において実行可能なプログラムであって、
所定の期間の時間帯を一覧表示してなるカレンダを表示させるプログラムステップと、カレンダに表示されている時刻のうちのある時刻と同じ撮影時刻の画像を撮影時刻を含む時間帯に表示させるプログラムステップと、を備えたことを特徴とするプログラム。
【請求項３８】
メモリに記録されている画像を再生する画像再生手段と、再生された画像を表示する再生画像表示手段を備えた画像表示装置において実行可能なプログラムであって、
所定の期間の時間帯を一覧表示してなるカレンダを表示させるプログラムステップと、
カレンダに表示されている時刻のうちのある時刻と同じ撮影時刻の画像を撮影時刻を含む時間帯に表示させるプログラムステップと、カレンダの周囲に該カレンダに表示されている画像の撮影時刻を表すグラフ状の時刻表示を行わせるプログラムステップと、を備えたことを特徴とするプログラム。
【発明の詳細な説明】
【技術分野】
【０００１】
本発明は、時計手段を有し、撮影した画像と時計表示を連動させる、時計と画像の連動表示方法、カレンダと画像の連動表示方法、画像表示装置、撮像装置、情報検索カレンダ表示システム、及びプログラムに関する。
【背景技術】
【０００２】
電子カメラにおいて、撮影した画像を撮影日時と関連して記憶することは周知であるが、撮影した多数の画像を整理・検索しやすくするために、モニタ上に例えば１ヶ月のカレンダを表示し、そのカレンダ画面上の各日付欄に、その日に撮影した画像を縮小表示する技術がある（例えば、特許文献１参照）。
【０００３】
また、同日に撮影した画像が多数ある場合には、代表画像を表示したり、スライドショー的に切り替え表示する技術がある（例えば、特許文献２参照）。
【０００４】
【特許文献１】特開平１１−２１５４５７号公報
【特許文献２】特願２００３−５１２７６号
【発明の開示】
【発明が解決しようとする課題】
【０００５】
しかしながら、上記特許文献１に記載の技術では、カレンダ画面上に日付と関連づけて撮影画像を表示するものであり、画面上に時刻と関連づけて画像を一覧表示したいという課題があった。
【０００６】
また、上記特許文献２に記載の技術は、同日に多数の撮影画像があるときに、その一覧性を増すための工夫が必要であるとの課題があった。
【０００７】
本発明は、多数の画像を撮影記録している場合や、撮影画像と共に常時時計やカレンダを表示している場合に好適なものであり、時計と撮影画像を連動させて表示することによって撮影時間帯を分かりやすくし、画像を検索しやすくした時計と画像の連動表示方法と、カレンダと撮影画像を連動させて表示することによって、同一期間内（月、週、連続した複数の日、日、時間帯）に多数の撮影画像があるときの一覧性を良くし、画像を検索しやすくするカレンダと画像の連動表示方法と、画像表示装置、撮像装置、情報検索カレンダ表示システム、及びプログラムの提供を目的とする。
【課題を解決するための手段】
【０００８】
上記課題を解決するために、請求項１に記載の発明では、メモリに記録されている画像を再生する画像再生手段と、再生された画像を表示する再生画像表示手段を備えた画像表示装置の時計と画像の連動表示方法であって、画面上に時計を表示し、この時計が指している時刻に撮影された画像を再生して時計に並べて表示し、時計が指している時刻の変化に伴ってその時刻に撮影された画像を再生して表示することを特徴とする時計と画像の連動表示方法を提供する。  
これにより、時計時刻を進めるとその時刻に撮影した画像がある場合はその画像がメモリから取り出されて時計に並べて再生されるので、時計の示している時刻に撮影した画像の確認が容易である。
【０００９】
また、請求項２に記載の発明では、請求項１記載の時計と画像の連動表示方法において、更に、画像のページ送りを行うと、時計の時刻をページ送りに伴って表示される画像の撮影時刻に変更して表示することを特徴とする時計と画像の連動表示方法を提供する。  
これにより、画像をページ送りすると表示される画像の撮影時刻に従って並べて表示している時計の時刻も進むので、現在表示されている画像の撮影時刻が分かりやすい。
【００１０】
また、請求項３に記載の発明では、請求項１または請求項２記載の時計と画像の連動表示方法において、時計表示はアナログ時計表示であることを特徴とする時計と画像の連動表示方法を提供する。  
これにより、指定された期間を単位としてその期間内に撮影された画像の撮影時刻がアナログ時計形式で表示されるので、画像を撮影したときが分かりやすい。
【００１１】
また、請求項４に記載の発明では、メモリに記録されている画像を再生する画像再生手段と、再生された画像を表示する再生画像表示手段を備えた画像表示装置の時計と画像の連動表示方法であって、画面上に、画像と、該画像に並べて該画像の撮影時刻をアナログ表示した時計とを表示し、画像をページ送りすると、時計が指している時刻を画像のページ送りに伴って再生表示される画像の撮影時刻に変更して表示することを特徴とする時計と画像の連動表示方法を提供する。  
これにより、アナログ表示されている時計の針を進めるとその時刻に撮影した画像がある場合はその画像がメモリから取り出されてアナログ表示されている時計に並べて再生されるので、時計針が示している時刻に撮影した画像の確認が視覚的に簡単にできる。
【００１２】
また、請求項５に記載の発明では、請求項１乃至４のいずれか１項に記載の時計と画像の連動表示方法において、表示画像は指定した日に撮影された画像の縮小画像であることを特徴とする時計と画像の連動表示方法を提供する。  
これにより、日を単位として指定日に撮影された画像の撮影時刻がアナログ時計形式で表示されるので、画像の撮影時刻がデジタル表示の場合よりも分かりやすく、ユーザにとって撮影時の情景や思い出を回想することが容易になる。また、画像サイズが小さいのでアナログ時計を大きく表示でき、時刻が視覚的に分かりやすい。
【００１３】
また、請求項６に記載の発明では、請求項１乃至４のいずれか１項に記載の時計と画像の連動表示方法において、表示画像は指定した日に撮影された画像の再生画像であることを特徴とする時計と画像の連動表示方法を提供する。これにより、日を単位として指定日に撮影された画像の撮影時刻がアナログ時計形式で表示されるので、画像の撮影時刻がデジタル表示の場合よりも分かりやすい。また、画像が見やすいので、ユーザにとって撮影時の情景や思い出を回想することが容易になる。
【００１４】
また、請求項７に記載の発明では、請求項１乃至４のいずれか１項に記載の時計と画像の連動表示方法において、表示画像は複数の日にまたがった期間内に撮影された画像の縮小画像であり、表示切り替え操作により相対的に大きな画像を表示可能である、ことを特徴とする時計と画像の連動表示方法を提供する。  
これにより、指定された期間、例えば、週を単位としてその期間内に撮影された画像とその画像に並べて撮影時刻がアナログ時計形式で表示されるので、表示されている画像の撮影時刻がデジタル表示の場合よりも分かりやすく、ユーザにとって撮影時の情景や思い出を回想することが容易になる。また、表示されている画像のサイズが表示切り替えにより変わるので、特に注目したい画像については縮小画像より相対的に大きな画像で見ることができる。
【００１５】
また、請求項８の発明では、請求項１乃至４のいずれか１項に記載の時計と画像の連動表示方法において、表示画像は複数の日にまたがった期間内に撮影された画像の再生画像であることを特徴とする時計と画像の連動表示方法を提供する。  
これにより、指定された期間を、例えば、週を単位としてその期間内に撮影された最も新しい画像の撮影時刻がアナログ時計形式で表示されるので、画像が見やすいし、撮影時刻がデジタル表示の場合よりも見やすい。
【００１６】
また、請求項９に記載の発明では、請求項１乃至４のいずれか１項に記載のカレンダと画像の連動表示方法において、時刻とは時間帯であることを特徴とする時計と画像の連動表示方法を提供する。  
これにより、一定の幅の時間内に撮影された画像が表示されるので、時計がアナログ時計の場合、時計の針によって示される時刻がユーザには視覚的に正確に認識できなくてもおおよその撮影時刻を知ることができる。又、ほぼ同じ時刻に撮った画像や午前中に撮った画像をページ送りして閲覧できる。
【００１７】
また、請求項１０に記載の発明では、メモリに記録されている画像を再生する画像再生手段と、再生された画像を表示する表示手段を備えた画像表示装置のカレンダと画像の連動表示方法であって、画面上に、画像と、該画像に並べて該画像の撮影日を含む期間からなるカレンダを表示し、画像をページ送りすると、カレンダを画像のページ送りに伴って表示される画像の撮影日を含む期間のカレンダに変更して表示することを特徴とするカレンダと画像の連動表示方法を提供する。  
これにより、画像が再生されるとその画像の撮影年月のカレンダが画像に並列表示され、カレンダ上に画像を表示する場合よりも画像も見やすいしカレンダも見やすい。
【００１８】
また、請求項１１に記載の発明では、請求項１０記載のカレンダと画像の連動表示方法において、表示されている画像の撮影日に対応するカレンダ上の日付欄を強調表示することを特徴とするカレンダと画像の連動表示方法を提供する。  
これにより、画像が再生されると並列表示されているカレンダの日付欄のうち、画像の撮影日に対応する日付の日付欄が反転表示等により強調表示されるので、撮影日がわかりやすい。
【００１９】
また、請求項１２に記載の発明では、メモリに記録されている画像を再生する画像再生手段と、再生された画像を表示する表示手段を備えた画像表示装置のカレンダと画像の連動表示方法であって、所定の期間の日付を一覧表示してなるカレンダを表示し、カレンダに表示されている日付と同じ撮影日の画像を再生して対応する日付の日付欄に表示し、カレンダに表示されている日付と同じ撮影日の画像が複数ある場合には代表画像をその日付に対応する日付欄に表示し、カレンダの日付のうち代表画像が表示されている日付を選択すると、その代表画像を相対的に大きく表示し、ページ送り／戻し操作をするとその日付に相当する日に撮影された画像をページ送り／戻して再生し、日付欄に表示することを特徴とするカレンダと画像の連動表示方法を提供する。  
これにより、撮影日時に対応する月間カレンダ及び週間カレンダの日付欄に画像を表示し、同じ日に撮影した複数の画像がある場合は従来のように代表画像をカレンダ上に表示するだけでなく、ページ送りして同じ日に撮影した画像の中から所望の画像を直接選択できるので、画像の検索が容易である。
【００２０】
また、請求項１３に記載の発明では、メモリに記録されている画像を再生する画像再生手段と、再生された画像を表示する表示手段を備えた画像表示装置のカレンダと画像の連動表示方法であって、所定の期間の時間帯を一覧表示してなるカレンダを表示し、カレンダに表示されている時刻のうちのある時刻と同じ撮影時刻の画像を再生してその時刻を含む時間帯に表示することを特徴とするカレンダと画像の連動表示方法を提供する。  
これにより、特定の時間帯、例えば、明け方や、日没や夜間の画像だけを検索する「時間別検索」を行うことができるので、同じ日に多数の撮影画像がある場合や撮影日が思い出せない場合にも迅速に同種の画像を検索することができる。
【００２１】
また、請求項１４に記載の発明では、請求項１３に記載のカレンダと画像の連動表示方法において、カレンダに表示されている時間帯のうちのある時間帯と同じ撮影時刻の画像が複数ある場合には代表画像をその時間帯に表示し、カレンダの時間帯のうち代表画像が表示されている時間帯を選択すると、その代表画像を相対的に大きく表示し、ページ送り／戻し操作をするとその時間帯に相当する時刻に撮影された画像をページ送り／戻して再生し、表示することを特徴とするカレンダと画像の連動表示方法を提供する。  
これにより、同じ時間帯に撮影された複数の画像がある場合にも、表示されている代表画像を拡大表示したり、ページ送りして他の画像を表示するので、同じ時間帯にどのような画像が撮影されているかを確認しやすい。
【００２２】
また、請求項１５に記載に発明では、請求項１２記載のカレンダと画像の連動表示方法において、表示する画像は指定した日に撮影された画像の縮小画像であることを特徴とするカレンダと画像の連動表示方法を提供する。  
これにより、サイズに制限のある画面に表示されているカレンダの日付欄に、その日付に撮影された画像を他の日付欄に表示されている画像と弁別可能に表示できる。
【００２３】
また、請求項１６に記載の発明では、請求項１２記載のカレンダと画像の連動表示方法において、表示する画像は複数の日にまたがった期間内に撮影された画像の縮小画像であり、表示切り替え操作によりサイズの大きい画像を表示可能である、ことを特徴とするカレンダと画像の連動表示方法を提供する。  
これにより、請求項１５に記載の発明と同様に、サイズに制限のある画面に表示されているカレンダの日付欄に、その日付に撮影された画像を他の日付欄に表示されている画像と弁別可能に表示できる。また、表示切り替えにより大きな画像で見ることができるので、画像が見やすい。
【００２４】
また、請求項１７に記載の発明では、請求項１２記載のカレンダと画像の連動表示方法において、カレンダの周囲に該カレンダに表示されている画像の撮影時刻を表すグラフ状の時刻表示を行うことを特徴とするカレンダと画像の連動表示方法を提供する。  
これにより、カレンダの周囲に撮影時間がグラフ表示されるので、ある指定日のどの時間にどの程度の画像があるかが一目でわかる。
【００２５】
また、請求項１８に記載に発明では、請求項１７記載のカレンダと画像の連動表示方法において、グラフ状に表示された時刻のうち選択された時刻に撮影された画像を相対的に大きくして表示することを特徴とするカレンダと画像の連動表示方法を提供する。これにより、画面の大きさが制限されているデジタルカメラや携帯電話や表示部付きクレードルのように画面が小さい画像表示装置でもカレンダが見やすい。
【００２６】
また、請求項１９に記載の発明では、メモリに記録されている画像を再生する画像再生手段と、再生された画像を表示する表示手段を備えた画像表示装置のカレンダと画像の連動表示方法であって、カレンダの周囲に該カレンダに表示されている画像の撮影時刻を表すグラフ状の時刻表示を行うことを特徴とするカレンダと画像の連動表示方法を提供する。これにより、グラフをカレンダの周囲に設けたので場所をとらない。従って、画面の大きさが制限されているデジタルカメラや携帯電話や表示部付きクレードルのように画面が小さい画像表示装置でもカレンダが見やすい。
【００２７】
また、請求項２０に記載の発明では、請求項１７乃至１９のいずれか１項に記載のカレンダと画像の連動表示方法において、撮影された画像は動画であることを特徴とするカレンダと画像の連動表示方法を提供する。これにより、動画を再生する場合、このカット（撮影単位）がどのくらい続くのかが一目でわかる。
【００２８】
また、請求項２１に記載に発明では、メモリに記録されている画像を再生する画像再生手段と、再生された画像を表示する表示手段を備えた画像表示装置のカレンダと画像の連動表示方法であって、所定の期間の日付を一覧表示してなるカレンダを表示し、現在日に撮影された画像の縮小画像を再生してカレンダの日付欄のうちの現在日に対応する日付欄に表示し、切替指示があるとその日付欄または該日付欄に表示されている縮小画像に関連付けて撮影画像に係わる情報を表示することを特徴とするカレンダと画像の連動表示方法を提供する。  
これにより、画面の大きさが制限されているデジタルカメラや携帯電話や表示部付きクレードルのように画面が小さい画像表示装置でもカレンダ上に表示されている画像に係わる情報を表示することができる。
【００２９】
また、請求項２２に記載の発明では、メモリに記録されている画像を再生し、再生された画像を表示する画像表示装置において、画面上にアナログ時計を表示するアナログ時計表示手段と、このアナログ時計が指している時刻に撮影された画像を再生して時計に並べて表示する画像表示手段と、を備え、画像表示手段は、時計が指している時刻の変化に伴ってその時刻に撮影された画像を再生して表示することを特徴とする画像表示装置を提供する。  
これにより、指定された期間を単位としてその期間内に撮影された画像の撮影時刻がアナログ時計形式で表示され、アナログ時計の針を進めると針の示す時刻に撮影された画像が順次再生表示されるので再生表示される画像の撮影時刻が分かりやすい。
【００３０】
また、請求項２３に記載の発明では、請求項２２に記載の画像表示装置において、更に、画像のページ送りを行うページ送り手段を備え、アナログ時計の時刻を画像のページ送りに伴って表示される画像の撮影時刻に変更する時刻変更手段を備えたことを特徴とする画像表示装置を提供する。  
これにより、指定された期間を単位としてその期間内に撮影された画像の撮影時刻がアナログ時計形式で表示され、画像をページ送りすると表示される画像の撮影時刻に一致するようにアナログ時計の針が進むので、再生表示されている画像の撮影時刻が分かりやすい。
【００３１】
また、請求項２４に記載の発明では、メモリに記録されている画像を再生し、再生された画像を表示する画像表示装置において、画面上に、画像と、該画像に並べて該画像の撮影日を含む期間からなるカレンダを表示するカレンダ表示手段と、画像をページ送りするページ送り手段と、カレンダを画像のページ送りに伴って表示される画像の撮影日を含む期間のカレンダに変更するカレンダ変更手段と、表示されている画像の撮影日に相当するカレンダ上の日付欄を強調表示する強調表示手段と、を備えたことを特徴とする画像表示装置を提供する。  
これにより、画像が再生されるとその画像の撮影年月のカレンダが画像に並列表示され、カレンダ上に画像を表示する場合よりも画像も見やすいしカレンダも見やすい。また、画像が再生されると並列表示されているカレンダの日付欄のうち、画像の撮影日に対応する日付の日付欄が反転表示等により強調表示されるので、撮影日がわかりやすい。
【００３２】
また、請求項２５に記載の発明では、メモリに記録されている画像を再生し、再生された画像を表示する画像表示装置において、所定の期間の日付を一覧表示してなるカレンダを表示するカレンダ表示手段と、カレンダに表示されている日付と同じ撮影日の画像を再生して対応する日付の日付欄に表示する画像表示手段と、カレンダに表示されている日付と同じ撮影日の画像が複数ある場合には代表画像をその日付に対応する日付欄に表示する代表画像表示手段と、カレンダの日付のうち画像が表示されている日付を選択する画像選択手段と、画像選択手段によって選択された画像を相対的に大きく表示する代表画像表示手段と、ページ送り／戻し操作をするとその日付に相当する日に撮影された画像をページ送り／戻して再生し、日付欄に表示するページ送り画像表示手段と、を備えたことを特徴とする画像表示装置を提供する。  
これにより、撮影日時に対応する月間カレンダ及び週間カレンダの日付欄に画像を表示し、同じ日に撮影した複数の画像がある場合は従来のように代表画像をカレンダ上に表示するだけでなく、ページ送りして同じ日に撮影した画像の中から所望の画像を直接選択できるので、画像の検索が容易である。
【００３３】
また、請求項２６に記載の発明では、メモリに記録されている画像を再生し、再生された画像を表示する画像表示装置において、所定の期間の時間帯を一覧表示してなるカレンダを表示するカレンダ表示手段と、カレンダに表示されている時刻のうちのある時刻と同じ撮影時刻の画像を再生してその時刻を含む時間帯に表示する画像表示手段と、を備えたことを特徴とする画像表示装置を提供する。  
これにより、同じ時間帯に撮影された複数の画像がある場合にも、表示されている代表画像を拡大表示したり、ページ送りして他の画像を表示できるので、同じ時間帯にどのような画像が撮影されているかを確認しやすい。
【００３４】
また、請求項２７に記載に発明では、請求項２４又は２５に記載の画像表示装置において、期間は日であり、日付欄に表示する画像はその日に撮影された画像の縮小画像であることを特徴とする画像表示装置を提供する。  
これにより、サイズに制限のある画面に表示されているカレンダの日付欄に、その日付に撮影された画像を他の日付欄に表示されている画像と弁別可能に表示できる。
【００３５】
また、請求項２８に記載の発明では、請求項２４又は２５に記載の画像表示装置において、期間は連続する日であり、表示する画像は期間内に撮影された画像の縮小画像であり、表示切り替え操作により縮小画像に対応する画像を再生して表示する、ことを特徴とする画像表示装置を提供する。  
これにより、請求項２７に記載の発明と同様に、サイズに制限のある画面に表示されているカレンダの日付欄に、その日付に撮影された画像を他の日付欄に表示されている画像と弁別可能に表示できる。また、表示されている縮小画像から大きな画像への表示切り替えができるので、画像が見やすい。
【００３６】
また、請求項２９に記載の発明では、請求項２５記載の画像表示装置において、カレンダの周囲に該カレンダに表示されている画像の撮影時刻を表すグラフ状の時刻表示を行う手段を備えたことを特徴とする画像表示装置を提供する。  
これにより、カレンダの周囲に撮影時間がグラフ表示されるので、ある指定日のどの時間にどの程度の画像があるかが一目でわかる。
【００３７】
また、請求項３０に記載の発明では、請求項２９記載の画像表示装置において、グラフ状に表示された時刻のうち選択された時刻に撮影された画像を相対的に大きくして表示する手段を備えたことを特徴とする画像表示装置を提供する。これにより、画面の大きさが制限されているデジタルカメラや携帯電話や表示部付きクレードルのように画面が小さい画像表示装置でもカレンダが見やすい。
【００３８】
また、請求項３１に記載の発明では、メモリに記録されている画像を再生し、再生された画像を表示する画像表示装置において、所定の期間の日付を一覧表示してなるカレンダを表示するカレンダ表示手段と、現在日に撮影された画像の縮小画像を再生してカレンダの日付欄のうちの現在日に対応する日付欄に表示する縮小画像表示手段と、日付欄を指定して表示内容の切り替え指示を行う切替指示手段と、切替指示手段による切替指示があると指定された日付欄または該日付欄に表示されている縮小画像に関連付けて撮影画像に係わる情報を表示する情報表示手段と、を備えたことを特徴とする画像表示装置を提供する。  
これにより、画面の大きさが制限されているデジタルカメラや携帯電話や表示部付きクレードルのように画面が小さい画像表示装置でもカレンダ上に表示されている画像に係わる情報を表示することができる。
【００３９】
また、請求項３２に記載の発明では、被写体を撮影してその画像データを生成する撮像手段と、生成した画像を記録するメモリと、メモリに記録されている画像を再生して表示する画像再生モードを備えた撮像装置において、画像再生モード時に、画面上に、画像と、該画像に並べて該画像の撮影日を含む期間からなるカレンダを表示するカレンダ表示手段と、画像をページ送りするページ送り手段と、カレンダを画像のページ送りに伴って表示される画像の撮影日を含む期間のカレンダに変更するカレンダ変更手段と、表示されている画像の撮影日に相当するカレンダ上の日付欄を強調表示する強調表示手段と、を備えたことを特徴とする撮像装置を提供する。  
これにより、画像が再生されるとその画像の撮影年月のカレンダが画像に並列表示され、カレンダ上に画像を表示する場合よりも画像も見やすいしカレンダも見やすい。また、画像が再生されると並列表示されているカレンダの日付欄のうち、画像の撮影日に対応する日付の日付欄が反転表示等により強調表示されるので、撮影日がわかりやすい。
【００４０】
また、請求項３３に記載の発明では、被写体を撮影してその画像データを生成する撮像手段と、生成した画像を記録するメモリと、メモリに記録されている画像を再生して表示する画像再生モードを備えた撮像装置において、画像再生モード時に、所定の期間の日付を一覧表示してなるカレンダを表示するカレンダ表示手段と、カレンダに表示されている日付と同じ撮影日の画像を再生して対応する日付の日付欄に表示する画像表示手段と、カレンダに表示されている日付と同じ撮影日の画像が複数ある場合には代表画像をその日付に対応する日付欄に表示する代表画像表示手段と、カレンダの日付のうち画像が表示されている日付を選択する画像選択手段と、画像選択手段によって選択された画像を相対的に大きく表示する代表画像表示手段と、ページ送り／戻し操作をするとその日付に相当する日に撮影された画像をページ送り／戻して再生し、日付欄に表示するページ送り画像表示手段と、を備えたことを特徴とする撮像装置を提供する。  
これにより、撮影日時に対応する月間カレンダ及び週間カレンダの日付欄に画像を表示し、同じ日に撮影した複数の画像がある場合は従来のように代表画像をカレンダ上に表示するだけでなく、ページ送りして同じ日に撮影した画像の中から所望の画像を直接選択できるので、画像の検索が容易である。
【００４１】
また、請求項３４に記載の発明では、被写体を撮影してその画像データを生成する撮像手段と、生成した画像を記録するメモリと、メモリに記録されている画像を再生して表示する画像再生モードを備えた撮像装置において、画像再生モード時に、所定の期間の日付を一覧表示してなるカレンダを表示するカレンダ表示手段と、現在日に撮影された画像の縮小画像を再生してカレンダの日付欄のうちの現在日に対応する日付欄に表示する縮小画像表示手段と、日付欄を指定して表示内容の切り替え指示を行う切替指示手段と、切替指示手段による切替指示があると指定された日付欄または該日付欄に表示されている縮小画像に関連付けて撮影画像に係わる情報を表示する情報表示手段と、を備えたことを特徴とする撮像装置を提供する。  
これにより、画面の大きさが制限されているデジタルカメラや携帯電話や表示部付きクレードルのように画面が小さい画像表示装置でもカレンダ上に表示されている画像に係わる情報を表示することができる。
【００４２】
また、請求項３５に記載の発明では、通信ネットワークに接続可能な複数の情報端末と、通信ネットワークに接続し、該通信ネットワークに接続した情報端末とデータの授受を行うサーバからなるネットワークシステムにおいて、サーバは、所定の分野、月、及び日の順に分類された画像データと、各画像に対応付けられたＵＲＬと、各画像に対応付けられた報知情報とを格納したデータベースを備え、通信ネットワークに接続している情報端末からカレンダ送信要求を受信すると、指定された分野及び年月のカレンダを生成し、生成されたカレンダと、該カレンダに含まれる日付と同じ日に撮影された画像の縮小画像データをカレンダ送信要求元の情報端末に送信し、情報端末から画像及び説明情報送信要求を受信すると、指定された画像の画像データと各画像に対応付けられた報知情報とをデータベースから取り出して画像及び説明情報送信要求元の情報端末に送信し、情報端末は、通信ネットワークに接続すると、表示するカレンダの分野を選択する分野選択画像を表示し、分野が選択されると選択された分野及び指定年月を含むカレンダ送信要求を生成してサーバに送信し、サーバからカレンダデータ及び縮小画像データを受信すると、受信したカレンダデータ及び縮小画像データに基づいて、日付欄に同じ日付で撮影された画像の縮小画像を表示した分野別かつ指定年月を期間とするカレンダを表示し、カレンダに表示された縮小画像が指定されると、指定された画像の識別情報を含む画像及び説明情報送信要求を生成してサーバに送信し、サーバから指定した画像の画像データと各画像に対応付けられた報知情報とを受信すると、受信した画像データを再生して表示すると共に、該画像に対応付けられている報知情報を表示することを特徴とする情報検索カレンダ表示システムを提供する。  
これにより、携帯電話やパソコン等の情報端末のユーザは指定した分野の画像情報を表示されたカレンダで一覧できるので、何日に所望のイベントが開催されるかとか、いつごろ何処の蓮の花が開花しそうだといった情報を一目で把握できる。また、カレンダに表示されている画像を選択・指定するといった簡単でかつ最小の操作で詳細な情報を閲覧できる。
【００４３】
また、請求項３６に記載の発明では、メモリに記録されている画像を再生する画像再生手段と、再生された画像を表示する再生画像表示手段を備えた画像表示装置において実行可能なプログラムであって、メモリに記録されている画像を再生させるプログラムステップと、再生された画像を表示させるプログラムステップと、表示された画像に並べて該画像の撮影時刻をアナログ表示した時計を表示させるプログラムステップと、画像のページ送りの有無を検出させるプログラムステップと、画像のページ送りが検出されると、時計が指している時刻を画像のページ送りに伴って再生表示される画像の撮影時刻に変更して表示させるプログラムステップと、を備えたことを特徴とするプログラムを提供する。  
これにより、画像表示装置の画面上に時計を表示させ、この時計が指している時刻に撮影された画像を再生して時計に並べて表示させ、時計が指している時刻の変化に伴ってその時刻に撮影された画像を再生して表示させることができる。また、時計時刻を進めるとその時刻に撮影した画像がある場合はその画像がメモリから取り出されて時計に並べて再生されるので、時計の示している時刻に撮影した画像の確認が容易になる。
【００４４】
また、請求項３７に記載の発明では、メモリに記録されている画像を再生する画像再生手段と、再生された画像を表示する再生画像表示手段を備えた画像表示装置において実行可能なプログラムであって、所定の期間の時間帯を一覧表示してなるカレンダを表示させるプログラムステップと、カレンダに表示されている時刻のうちのある時刻と同じ撮影時刻の画像を撮影時刻を含む時間帯に表示させるプログラムステップと、を備えたことを特徴とするプログラムを提供する。  
これにより、画像表示装置の画面上にカレンダを表示させ、カレンダに表示されている時刻のうちのある時刻と同じ撮影時刻の画像を再生してその時刻を含む時間帯に表示させることができる。また、特定の時間帯、画像だけを検索する「時間別検索」を行うことができるので、同じ日に多数の撮影画像がある場合や撮影日が思い出せない場合にも迅速に同種の画像を検索することができる。
【００４５】
また、請求項３８に記載の発明では、メモリに記録されている画像を再生する画像再生手段と、再生された画像を表示する再生画像表示手段を備えた画像表示装置において実行可能なプログラムであって、所定の期間の時間帯を一覧表示してなるカレンダを表示させるプログラムステップと、カレンダに表示されている時刻のうちのある時刻と同じ撮影時刻の画像を撮影時刻を含む時間帯に表示させるプログラムステップと、カレンダの周囲に該カレンダに表示されている画像の撮影時刻を表すグラフ状の時刻表示を行わせるプログラムステップと、を備えたことを特徴とするプログラムを提供する。  
これにより、画像表示装置の画面上にカレンダを表示させ、そのカレンダの周囲に該カレンダに表示されている画像の撮影時刻を表すグラフ状の時刻表示を行わせことができる。このグラフはカレンダの周囲に設けたので場所をとらないので、画面の大きさが制限されているデジタルカメラや携帯電話や表示部付きクレードルのように画面が小さい画像表示装置でもカレンダが見やすい。
【発明の効果】
【００４６】
本発明によれば、時計と撮影画像を連動して表示させるので、撮影時間帯が分かりやすく、画像を検索しやすい。また、カレンダ表示において、同期間（時間帯、日、週、月）内に撮影した多数の撮影画像があるときの画像の一覧性がよく、画像を検索しやすい。
【発明を実施するための最良の形態】
【００４７】
図１は、本発明の時計と画像の連動表示方法及びカレンダと画像の連動表示方法を適用可能な画像表示装置の一実施例の外観を示す図であり、画像表示装置としてデジタルカメラ１００を例としたものである。
【００４８】
デジタルカメラ１００は正面側（図１（ａ））に撮像レンズ１１１、光学ファインダ１１２及び測光センサ１１３を有している。また、デジタルカメラ１００の背面（図１（ｂ））には液晶モニタ画面４１、光学ファインダ１１２、モードの切換えを行なうモードダイアル３１、液晶モニタスイッチ３２、メニューキー３４、カーソルキー３５、動画撮影開始／終了ボタン３８、表示切替え用のＤＩＳＰボタン３９等のスイッチ及びキーが設けられている。また、上面（図１（ｃ））にはズームレバー３３、シャッターキー３６、ストロボ設定キー３７、及び電源ボタン９１が設けられ、側部にはパーソナルコンピュータ（以下、パソコン）やモデム等の外部装置とＵＳＢケーブルを接続する場合に用いるＵＳＢ端子接続部９５が設けられている。また、図示していないが底面にはクレードルとの接続を行うクレードル接続部が設けられている。また、正面等に赤外線通信やブルートゥース等の近接通信用の光送受口や無線通信用アンテナ、ＧＰＳ受信アンテナを設けるようにしてもよい。
【００４９】
図１（ｄ）はモードダイアル３１の詳細図であり、モードダイアル３１の上面には、符号３１−１〜３１−７、・・・に示すような、ユーザがモードを判別しやすいアイコンや文字が印刷又は形押等により表示されており、ユーザがモードダイアルを廻してモード選択位置３１−０に所望のアイコン等を合わせるとモードが切り替えられる。なお、図示の例では符号３１−１は再生モードを意味し、符号３１−２〜３１−６は撮影モードを意味し、符号３１−２は通常撮影モード、符号３１−３はベストショットモード（シーン選択モード）、符号３１−４はカップリングモード、符号３１−５は夜景モード、符号３１−６はムービー（動画）撮影モードを意味する。また、符号３１−７はカレンダ表示＆再生モードを意味する。
【００５０】
ユーザがモードダイアル３１を廻して、カレンダ表示＆再生モードにするとデジタルカメラ１００は、図５（ａ）に示すようなカレンダ表示画面を表示し、ユーザが「画像連動表示」を選択すると、時計と画像を連動表示する（実施形態１）。また、ユーザが「画像連動表示」を選択するとカレンダと画像を連動表示する（実施形態２）ように構成することもできる。
【００５１】
図２は、図１に示したデジタルカメラの内部構成例を示すブロック図である。図２（ａ）で、デジタルカメラ１００は、光学系１１、信号変換部１２、信号処理部１３、ＤＲＡＭ１４、制御部２０、操作部３０、表示部４０、メモリーカード５１等の記録媒体にアクセスし、撮影画像の記録時に画像データ等のデータを書き込み、記録画像の再生時に記録媒体から画像データ等のデータを読み出す記録部５０、ＯＳＤデータ用ＲＯＭ４５、クレードル接続部５５、入出力（Ｉ／Ｏ）インターフェイス５６、及び電源９０を有している。光学系１１、信号変換部１２、信号処理部１３は被写体像を取り込んで画像データを生成する撮像手段に相当する。なお、クレードル接続部５５は必須ではない。また、音声を入力して音声データに変換してメモリーカード５１等の記録媒体に記録し、或いは記録されている音声データを復調して音声出力する入音声出力装置（図示せず）を備えるようにしてもよい。
【００５２】
光学系１１は、撮像レンズ１１１、測光センサ１１３、ズーム機構１１４、自動合焦（ＡＦ）機構１１５及び自動絞り機構１１６や自動露出機構（ＡＥ）１１７等を含み、撮像レンズ１１１を介して集光された被写体像の光束を後段の撮像素子（ＣＣＤ）上に結像させる。
【００５３】
信号変換部１２は、ＣＣＤ、ＣＣＤ駆動用タイミング信号生成回路、ＣＣＤ駆動用垂直ドライバ、自動利得制御回路およびＡ／Ｄ変換器（図示せず）を含み、前段の光学系１１を介してＣＣＤに結像した画像を電気信号に変換し、デジタルデータ（以下、画像データ）に変換して一定の周期で出力する。
【００５４】
信号処理部１３は、静止画撮影モード時には信号変換部１２からの出力を処理して、デジタルの輝度、色差マルチプレクス信号（Ｙ，Ｃｂ，Ｃｒデータ）等の信号成分を得て、Ｙ，Ｃｂ，Ｃｒデータ（以下、画像データ）をＤＲＡＭ１４に転送し、ＤＲＡＭ１４の静止画バッファ領域に記憶する。また、スルー画像を表示するために、ＤＲＡＭ１４に取込んだ画像データを間引いて表示部４０に送る。シャッターキー３６が全押しされるとその時点の画像データを表示部４０に送って静止画表示させる。
【００５５】
また、動画撮影モード時には信号変換部１２からの出力を処理して、デジタルの輝度、色差マルチプレクス信号（Ｙ，Ｃｂ，Ｃｒデータ）等の信号成分を得て、Ｙ，Ｃｂ，Ｃｒデータ（以下、画像データ）を所定の動画ファイルサイズ（例えば、約２００ＫＢ／秒）に変換させて動画像データとしてＤＲＡＭ１４に転送し、ＤＲＡＭ１４の動画像バッファ領域に順次記憶する。
【００５６】
また、信号処理部１３は、撮影画像の記録時にＤＲＡＭ１４に書き込まれている画像データを読み出して、圧縮処理を施し、記録画像の再生時にメモリーカード５１等の記録媒体に記録されている圧縮画像データに伸張処理を施して画像データを再生する圧縮伸張部を備えている。なお、圧縮画像データを高速で伸張する高速伸張部を備えるように構成してもよい。画像データの圧縮／伸張方式としては、例えば、ＪＰＥＧ圧縮方式によるが、これに限定されない。
【００５７】
実施例では、静止画像データをＤＲＡＭ１４の静止画バッファ領域に記憶し、動画像データを動画像バッファ領域に記憶するようにしたが、静止画像データと動画像データを記憶するバッファ領域を別々にせず静止画像データと動画像データ共通なバッファ領域に記憶するようにしてもよい。
【００５８】
ＤＲＡＭ１４は作業用メモリとして用いられ、撮像された静止画像を一時的に記憶する画像バッファ領域や所定時間分の画像を一時的に記憶する動画像バッファ領域や画像の圧縮／伸張時や画像合成時の作業用領域等が確保されている。
【００５９】
制御部２０は、図２（ｂ）に示すように、ＣＰＵ２１、ＲＡＭ２２、プログラム格納用ＲＯＭ２３および時計手段としてのタイマー２４等を備えたマイクロプロセッサ構成を有している。
【００６０】
ＣＰＵ２１は、上述の各回路および図示しない電源切換えスイッチ等にバスラインを介して接続し、プログラム格納用ＲＯＭ２３に格納されている制御プログラムによりデジタルカメラ１００全体の制御を行なうと共に、ユーザのキー操作等により操作部３０から送出される信号を受け取ると、受け取った信号が意味する処理に対応する動作プログラムをプログラム格納用ＲＯＭに格納されているプログラム群の中から取り出して、デジタルカメラ１００の各機能の実行制御、例えば、本発明の時計と画像の連動表示方法に基づく時計及び画像の連動表示や、本発明のカレンダと画像の連動表示方法に基づく同期間に撮影された画像の縮小画像とカレンダとの連動表示や、ＲＯＭ２３内に格納された各処理手段の実行による各機能の実現のための実行制御を行なう。
【００６１】
例えば、撮影モードではデジタルカメラ１００の撮影レンズ１１１の視野内の被写体像を取り込んでスルー画像（ファインダ画像）を表示し、シャッターキー３６が半押しされると自動合焦や自動絞り、自動露出等を開始させ、全押しされると静止画撮影を行わせる。また、動画撮影開始ボタン３８が押されると、コンティニアスＡＦによる連続自動合焦や自動絞り、自動露出等を行って動画撮影を開始させる。また、再生モードではメモリーカード５１に記録されている画像（圧縮画像データ）を検索して伸張処理を施して画像（画像データ）を再生し、表示部４０に表示する。また、図５（ａ）に示すようなカレンダ表示画面を表示し、ユーザが「画像連動表示」を選択すると、時計と画像を連動表示する（実施形態１）。また、ユーザが「画像連動表示」を選択するとカレンダと画像を連動表示する（実施形態２）ように構成することもできる。
【００６２】
なお、図５（ｂ）に示すようなカレンダ表示画面を表示して、「時計と画像連動表示」又は「カレンダと画像連動表示」のいずれかを促し、「時計と画像連動表示」を選択すると時計と画像を連動表示し、「カレンダと画像連動表示」を選択するとカレンダと画像を連動表示するように構成してもよい。
【００６３】
ＲＡＭ２２は内部メモリに相当し、プログラム、データおよび処理結果の一時記憶および中間作業領域等に用いられる。プログラム格納用ＲＯＭ２３は上述の制御プログラムおよびデジタルカメラ１００の各動作及びその他の各機能を実行させるためのプログラム群を記録する記録媒体であり、ＰＲＯＭ、ＦＲＯＭ（フラッシュＲＯＭ）等のメモリが用いられる。
【００６４】
操作部３０は、図１に示したような、モードダイアル３１、液晶モニタスイッチ３２、ズームレバー３３、メニューキー３４、カーソルキー３５、シャッターキー３６、及びストロボ設定キー３７、動画撮影開始／終了ボタン３８、ＤＩＳＰボタン３９等のボタンやスイッチを構成部分としており、これらのキーやボタン或いはスイッチが操作されると状態信号や設定値が制御部２０に送出される。なお、符号３５１はＳＥＴキーを意味する。
【００６５】
表示部４０はビデオエンコーダ、ＶＲＡＭ（図示せず）および液晶モニタ画面（ＬＣＤ）４１等から構成されており、制御部２０の表示制御により、撮像時のスルー画像、及び再生時の再生画像、本発明に基づく、時計と画像の連動表示、或いはカレンダと画像の連動表示、及び処理選択時の選択用メニュー（或いはアイコン）の表示等を行なう。
【００６６】
なお、表示部４０の画面を液晶表示素子からなる画面の上に透明な薄膜からなるタッチ電極面を設け、タッチペンや指でポイント可能に構成してポイント用表示ボタンを表示可能にしてもよい。
【００６７】
ＯＳＤデータ用ＲＯＭ４５には、表示部４０に表示するＯＳＤ（0n Screen Display）用の記号や、時計表示やカレンダ表示用のフォーマットや、図形および文字等のデジタル化された情報が登録されている。なお、デジタルカメラ１００が音声出力装置を有する場合には、報知用のデジタル化された音声データを記録（登録）するようにしてもよい。また、ＯＳＤデータ用ＲＯＭ４５は必須ではなくＯＳＤデータ用ＲＯＭ４５の代わりにメモリーカード５１上の特定領域や内部に固定されたフラッシュメモリ等の記録媒体上の特定領域に登録するようにしてもよい。
【００６８】
記録部５０は記録媒体を収容しＣＰＵ２１の制御によりメモリーカード５１上に信号処理部１３からの画像データを記録する。なお、実施例では記録部５０は記録媒体としてのメモリーカード５１を着脱可能に構成し、データの書き込み／読み出しを行なうように構成したが、内部に固定されたフラッシュメモリ等の記録媒体にデータの書き込み／読み出しを行なうように構成してもよい。
【００６９】
メモリーカード５１には、図３に示すように、管理領域５１−０と、縮小画像にその元画像の撮影日時等の連動情報を対応づけた連動情報テーブル６０（図４）を記憶する連動情報記録領域５１−１と、静止画や動画の各画像の圧縮画像データをそれぞれ記録する画像データ記録領域５１−２と、撮影日時登録リスト及び夫々の元画像に対応付けてその縮小画像データを記録する縮小画像データ記録領域５１−３と、動画を記録する動画記録領域５１−４とが設けられている。
【００７０】
縮小画像（サムネイル画像）は、画像の記録時に信号処理部１３によって作成される。縮小処理は、例えば、メモリーカード５１に記録されている画像データを読み出して一旦ＤＲＡＭ１４に記憶し、その画素を縮小比率分間引くことにより行なわれる。なお、画像縮小手段を記録時ではなく後述する時計と画像の連動表示（実施形態１）やカレンダと画像の連動表示（実施形態２）を実行する前段で動作させるようにしてもよい。
【００７１】
図４は、メモリーカード５１の連動情報記録領域５１−１に記憶される連動情報テーブル６０の構成例を示す図であり、連動情報テーブル６０はメモリーカード５１に記録されている画像データの撮影日時６１、画像データ（画像ファイル）とのポインタ６２、画像データに対応付けられている縮小画像データとのポインタ６３等、縮小画像や画像を時計又はカレンダに連動させて表示する際に必要な時間情報及び画像を検索する際に必要なポインタ等の情報からなる。なお、図４ではポインタ６２として画像番号を、ポインタ６３として縮小画像番号を示したが、これに限定されない。例えば、画像ファイル名や縮小画像ファイル名、或いは画像記憶領域の先頭アドレスでもよい。また、連動情報テーブル６０に最新の再生日時を登録するようにしてもよい。なお、連動情報記録領域５１−１に記憶される連動情報テーブル６０は必須ではない。つまり、撮影日時を検索する際に連動情報テーブル６０の代わりに、メモリーカード５１に記録されている画像ファイルの画像情報格納領域に格納されている撮影日時を検索するようにしてもよい。
【００７２】
（実施形態１）
本実施形態では、時計画像を表示し、指定又は選択された期間（時間帯、日、週、又は月）内に撮影された画像やその縮小画像を時計時間に連動させて（＝対応付けて）表示する。以下、上記図１〜図４及び下記図５〜図８を基に説明する。なお、本実施形態でアナログ表示される時計（以下、「アナログ時計」と記す）と共に連動表示される縮小画像の元画像は静止画像に限定されず、動画でもよい。また、縮小画像でなく元画像（つまり、撮影画像の再生画像）をアナログ時計と共に表示するようにしてもよい。
【００７３】
１−１；時計と画像の連動表示
図５は連動表示処理選択画面の一実施例を示す図であり、図１で縮小画像の連動表示を行うためにモードダイアル３１の「カレンダ」３１−７を位置３１−０に合わせた際に最初に表示される画面である。なお、この画面は必須でなく、モードダイアル３１の「カレンダ」３１−７を位置３１−０に合わせると直ちに図６に示すような時計と画像の連動表示を行うように構成してもよい。
【００７４】
図５（ａ）のカレンダ７０で、符号７１は年表示欄を意味し、符号７２は月表示欄を、符号７３は連動指示表示を、符号７４はカレンダ終了指示表示を意味する。カレンダ７０が表示されたとき、ユーザがカーソルキー３５を操作して年表示欄７１にカーソルを移動させてＳＥＴキー３５１を押し、更にカーソルキー３５で上下移動操作をしてからＳＥＴキー３５１を押すことにより、年表示欄７１に表示させる年を変更（つまり、選択）することができる。また、カーソルキー３５を操作して月表示欄７２にカーソルを移動させてＳＥＴキー３５１を押し、更にカーソルキー３５で上下移動操作をしてからＳＥＴキー３５１を押すことにより、月表示欄７２に表示させる月を変更（つまり、選択）することができる。更に、カレンダ７０に表示されている日付のうち所望の日付にカーソルを移動させてからＳＥＴキー３５１を押すとその日付が反転表示される。ユーザがこのようにして年、月、日を選択してから画像連動表示指示７３を選択してＳＥＴキー３５１を押すと、図６に遷移して図示のような時計と縮小画像を連動表示し、終了指示７４を選択するとカレンダ表示を終了する。
【００７５】
また、年、月、を選択し、日を選択してから更にカーソルキー３５を移動させて異なる日を選択してＳＥＴキー３５１を押すと最初に選択した日から最後に選択した日までの複数の日が反転表示され、画像連動表示指示７３を選択してＳＥＴキー３５１を押すとそれら複数の日が選択され、図６に遷移することができる。例えば、ある週を選択する場合は、その週の日曜を選択してから土曜を選択し、画像連動表示指示７３を選択してＳＥＴキー３５１を押せばよい。
【００７６】
また、年、月を選択して画像連動表示指示７３を選択してＳＥＴキー３５１を押すと月が選択され、図６に遷移することができる。また、単に画像連動表示指示７３を選択してＳＥＴキー３５１を押すと、日時に関係なしに同一時間帯に撮った画像の縮小画像表示を行うものとして図６に遷移する。
【００７７】
なお、図５（ｂ）のカレンダ７５で、年、月、日や、年、月、週や、年、月等を選択してから時間・画像連動表示指示７６を選択すると、図６に遷移して図示のような時計と縮小画像を連動表示し、終了指示７８を選択するとカレンダ表示を終了するように構成してもよい。
【００７８】
図６は時計と縮小画像の連動表示例を示す図であり、符号８１はアナログ時計、符号８２は時計の時計針、符号８３は時刻を表す文字盤、符号８４は縮小画像、符号８５は撮影画像（縮小画像８４の元画像）を意味する。
【００７９】
図５（ａ）のカレンダ７０又はカレンダ７５で年、月、日を選択した場合は、アナログ時計８１の文字盤８３にカーソルを移動させてＳＥＴキー３５１を押すことによりその位置が意味する時刻の時間帯を選択することができる。
【００８０】
図６（ａ）の例は、図５で年、月、日を選択し、画像連動表示指示７３を選択してＳＥＴキー３５１を押して、アナログ時計８１で時刻「１０時」を選択し、ある日の時間帯「１０時」に撮った画像（１０時６分に撮影された画像）の縮小画像８４を表示した連動表示画面の例である。この画面が表示されているとき、カーソルキー３５の左右移動操作を行うとメモリーカード５１からその日の画像を順次表示し、アナログ時計８１の時計針８２を進めたり、戻すことができ、見かけ上、時計針８２を動かしているかのように見える。また、ＤＩＳＰボタン３９を押すと縮小画像８４の元画像（撮影画像）８５が表示され、再びＤＩＳＰボタン３９を押すと、時計と縮小画像の連動表示画面（図６（ａ））に戻る。
【００８１】
また、カーソルキー３５の操作がない場合はアナログ時計８１は時刻の遷移に従って時計針８２を進め、時間の遷移に従い、アナログ時計８１が示す時刻に撮影された画像がメモリーカード５１にある場合は、その画像の縮小画像を取り出して表示する。
【００８２】
図６（ｂ）の例は、図６（ａ）でカーソルキー３５の左移動操作を繰り返して時間を遡及させて縮小画像８４を順次表示した例であり、図６（ｃ）の例は図６（ｂ）で表示されていた縮小画像８４の元画像（撮影画像８５）の表示例である。
【００８３】
図７は、時計と画像の連動表示動作例を示すフローチャートであり、図８は時計＆画像表示サブプログラムの動作を示すフローチャートである。
【００８４】
図７で、デジタルカメラ１００の制御部２０は、時計と画像の連動表示プログラムに従い、図５のカレンダ７０（又は７５）で選択された内容を調べ、「年、月、日」が選択された場合はステップＳ２に進み、「年、月、及び複数の日」が選択された場合はステップＳ１１に進み、「年、月」が選択された場合はステップＳ１５に進み、「時間帯のみ」が選択された場合はステップＳ１９に進む（ステップＳ１）。
【００８５】
「年、月、日」が選択された場合は、制御部２０は時間帯が指定されたか否か（つまり、アナログ時計８１の文字盤８３の時刻相当位置が指定されたか否か）を調べ、時間帯が指定された場合はステップＳ３に進み、そうでない場合（つまり、年月日のみの指定の場合）はステップＳ７に進む（ステップＳ２）。
【００８６】
上記ステップＳ２で時間帯が指定された場合は、制御部２０は記録部５０を制御してメモリーカード５１に記録されている連動情報テーブル６０をサーチし、指定された時間帯の中で最も新しい撮影日時を取り出す。また、その撮影日時の縮小画像データのポインタを基に縮小画像データを取り出す（ステップＳ３）。次に、時計＆画像表示処理サブプログラムに分岐して図８に示す時計及び縮小画像表示処理を行ってアナログ時計８１と縮小画像８４を表示する（ステップＳ４）。
【００８７】
次に、記録部５０を制御してメモリーカード５１に記録されている連動情報テーブル６０を調べ、指定された時間帯に撮影された画像に関する情報がない場合はステップＳ２３に進み（ステップＳ５）、指定された時間帯に撮影された画像に関する情報がある場合は、記録部５０を制御してメモリーカード５１に記録されている連動情報テーブル６０の次の撮影日時及びその撮影日時の縮小画像データを取り出してステップＳ４に戻る（ステップＳ６）。
【００８８】
上記ステップＳ２で時間帯が指定されなかった場合、つまり、年月日のみの指定の場合は、制御部２０は記録部５０を制御してメモリーカード５１に記録されている連動情報テーブル６０をサーチし、指定された撮影日の中で最も新しい撮影日時及びその撮影日時の縮小画像データを取り出し（ステップＳ７）、時計＆画像表示処理サブプログラムに分岐して図８に示す時計及び縮小画像表示処理を行ってアナログ時計８１と縮小画像８４を表示する（ステップＳ８）。
【００８９】
次に、記録部５０を制御してメモリーカード５１に記録されている連動情報テーブル６０を調べ、選択された日に撮影された画像に関する情報がない場合はステップＳ２３に進み（ステップＳ９）、選択された時間帯の撮影画像がある場合は、記録部５０を制御してメモリーカード５１に記録されている連動情報テーブル６０の次の撮影日時及び縮小画像データを取り出してステップＳ８に戻る（ステップＳ１０）。
【００９０】
また、上記ステップＳ１で、「年、月、日及び複数の日」が選択された場合は、制御部２０は記録部５０を制御してメモリーカード５１に記録されている連動情報テーブル６０をサーチし、選択された撮影日の中で最も新しい撮影日時の撮影日時及びその撮影日時の縮小画像データを取り出し（ステップＳ１１）、時計＆画像表示処理サブプログラムに分岐して図８に示す時計及び縮小画像表示処理を行ってアナログ時計８１と縮小画像８４を表示する（ステップＳ１２）。
【００９１】
次に、記録部５０を制御してメモリーカード５１に記録されている連動情報テーブル６０を調べ、選択された日に撮影された画像に関する情報がない場合はステップＳ２３に進み（ステップＳ１３）、選択された日の撮影画像がある場合は、記録部５０を制御してメモリーカード５１に記録されている連動情報テーブル６０の次の撮影日時及び縮小画像データを取り出してステップＳ１２に戻る（ステップＳ１４）。
【００９２】
また、上記ステップＳ１で、「年、月」が選択された場合は、制御部２０は記録部５０を制御してメモリーカード５１に記録されている連動情報テーブル６０をサーチし、選択された月の中で最も新しい撮影日時の撮影日時及びその撮影日時の縮小画像データを取り出し（ステップＳ１５）、時計＆画像表示処理サブプログラムに分岐して図８に示す時計及び縮小画像表示処理を行ってアナログ時計８１と縮小画像８４を表示する（ステップＳ１６）。
【００９３】
次に、記録部５０を制御してメモリーカード５１に記録されている連動情報テーブル６０を調べ、選択された月に撮影された画像に関する情報がない場合はステップＳ２３に進み（ステップＳ１７）、選択された時間帯の撮影画像がある場合は、記録部５０を制御してメモリーカード５１に記録されている連動情報テーブル６０の次の撮影日時及び縮小画像データを取り出してステップＳ１６に戻る（ステップＳ１８）。
【００９４】
上記ステップＳ１で「時間帯のみ」が選択された場合は、制御部２０は記録部５０を制御してメモリーカード５１に記録されている連動情報テーブル６０をサーチし、選択された時間帯に撮影された画像の中で最も新しい画像の撮影日時及びその縮小画像データを取り出し（ステップＳ１９）、時計＆画像表示処理サブプログラムに分岐して図８に示す時計及び縮小画像表示処理を行ってアナログ時計８１と縮小画像８４を表示する（ステップＳ２０）。
【００９５】
次に、記録部５０を制御してメモリーカード５１に記録されている連動情報テーブル６０を調べ、選択された時間帯に撮影された画像に関する情報がない場合はステップＳ２３に進み（ステップＳ２１）、選択された時間帯に撮影された画像に関する情報がある場合は、記録部５０を制御してメモリーカード５１に記録されている連動情報テーブル６０の次の撮影日時及びその撮影日時の縮小画像データを取り出してステップＳ２０に戻る（ステップＳ２２）。
【００９６】
図８の時計＆画像表示処理サブプログラムで表示終了操作が行われたか、或いは、上記ステップＳ４、Ｓ８、Ｓ１２、Ｓ１６、Ｓ２０のいずれかのステップで指定された時間帯に撮影された画像に関する情報がなかった場合は画面をクリアして連動表示動作を終了する（ステップＳ２３）。
【００９７】
図８は、時計＆画像表示処理サブプログラムの動作例を示すフローチャートである。図７のステップＳ４、Ｓ８、Ｓ１２、Ｓ１６、又はＳ２０から移行があると、これらのステップのうちのいずれかのステップで取得した撮影日時を元にアナログ時計８１の時計針８２の位置（針先の座標（ｘ、ｙ））を決定し、決定した位置に基づいて時計針８２を表示し（ステップＳ４−１）、上記ステップで取り出した撮影日に対応付けられている縮小画像データをメモリーカードから取り出し（ステップＳ４−２）、取り出した縮小データを基に縮小画像８４を表示する（ステップＳ４−３）。
【００９８】
次に、制御部２０は所定の表示時間（例えば、５秒）を経過したか否かを調べ（ステップＳ４−４）、表示時間を経過した場合は図７の移行元のステップに対応するステップＳ５、Ｓ９、Ｓ１３、Ｓ１７、又はＳ２１に復帰し、経過していない場合はステップＳ４−５に進む（ステップＳ４−４）。
【００９９】
表示時間を経過していない場合は、制御部２０はカーソルキー３５の操作があったか否かを調べ、カーソルキー３５が右（＞）操作されない場合はステップＳ４−８に進み（ステップＳ４−５）、右操作された場合は図７のステップＳ１、又はステップＳ２で選択された期間（時間帯、日、複数の日（例えば、週）、月））を単位として、操作回数だけ期間を進めて、メモリーカード５１に記録されている連動情報テーブル６０をサーチし、選択された期間に撮影された画像の中で最も新しい画像の撮影日時及びその縮小画像データを取り出し（ステップＳ４−６）、取得した撮影日時を元にアナログ時計８１の時計針８２の位置を決定してステップＳ４−１６に進む（ステップＳ４−７）。
【０１００】
カーソルキー３５が左（＜）操作されない場合はステップＳ４−１１に進み（ステップＳ４−８）、左操作された場合は図７のステップＳ１、又はステップＳ２で選択された期間（時間帯、日、複数の日（例えば、週）、月）を単位として、操作回数だけ期間を遡ってメモリーカード５１に記録されている連動情報テーブル６０をサーチし、選択された期間に撮影された画像の中で最も新しい画像の撮影日時及びその縮小画像データを取り出し（ステップＳ４−９）、取得した撮影日時を元にアナログ時計８１の時計針８２の位置を決定してステップＳ４−１６に進む（ステップＳ４−１０）。
【０１０１】
カーソルキー３５によりアナログ時計８１の時計針８２の位置が指定されなかった場合はステップＳ４−１５に遷移し（ステップＳ４−１１）、時計針８２の位置が指定された場合は指定された位置の座標データ（Ｘ、Ｙ）から時刻を求め（ステップＳ４−１２）、メモリーカード５１に記録されている連動情報テーブル６０をサーチし、求めた時刻に最も近い時刻に撮影された画像の撮影日時及びその縮小画像データを取り出し（ステップＳ４−１３）、取得した撮影日時を元にアナログ時計８１の時計針８２の位置を決定してステップＳ４−１６に進む（ステップＳ４−１４）。
【０１０２】
制御部２０は表示終了操作（例えば、カーソルキー３５の上下（∧∨）移動操作）が行われたか否かを調べ、終了操作が行われた場合は図７のステップＳ２３に進み、そうでない場合はステップＳ４−４に戻る（ステップＳ４−１５）。
【０１０３】
上記ステップＳ４−７、Ｓ４−１０、Ｓ４−１４で決定された位置に時計針８２を進めた（或いは後退させた）アナログ時計８１を表示し（ステップＳ４−１６）、メモリーカードから取り出した縮小データを基に縮小画像８４を表示する（ステップ４−１７）。
【０１０４】
次に、制御部２０は操作部３０からの信号を調べ、ＤＩＳＰボタン３９が押されたか否かを調べ、ＤＩＳＰボタン３９が押された場合はステップＳ４−１９に進み、そうでない場合はステップＳ４−４に戻る（ステップＳ４−１８）。
【０１０５】
ＤＩＳＰボタン３９が押された場合は、制御部２０は取得している撮影日時でメモリーカード５１に記録されている連動情報テーブル６０をサーチしてその撮影日時に撮影した画像の画像データ（つまり、表示されている縮小画像８４の元画像データ（圧縮画像データ））を取り出し（ステップＳ４−１９）、伸張処理を施して表示部４０へ送り、図６（ｃ）に示したような画像８５として再生表示する（ステップＳ４−２０）。
【０１０６】
制御部２０は操作部３０からの信号を調べ、ＤＩＳＰボタン３９が再度押されたか否かを調べ、ＤＩＳＰボタン３９が押された場合は時計と縮小画像の連動表示画面に戻るためにステップＳ４−１６に進み（ステップＳ２１）、そうでない場合は終了操作（例えば、カーソルキー３５の上下（∧∨）移動操作）が行われたか否かを調べ、終了操作が行われた場合は図７の移行元のステップに対応するステップＳ５、Ｓ９、Ｓ１３、Ｓ１７、又はＳ２１に復帰する（ステップＳ４−２２）。
【０１０７】
上記図７及び図８のフローチャートにより、時系列順に画像を順送りしながら選択された期間内に撮影された画像を閲覧できる。つまり、指定された期間を単位としてその期間内に撮影された最も新しい画像の撮影時刻がアナログ時計形式で表示されるので、画像を撮影したときが分かりやすく、ユーザにとって撮影時の情景や思い出を回想することが容易になる。また、カーソルキー等で時間を進めたり、遡及させない場合には時間経過に沿って時計時刻が進み、ある時計時刻に撮影した画像があるとその縮小画像が連動表示されるので、この時間にこの画像を撮影したといった確認を行うこともできる。
【０１０８】
また、時間帯のみを指定することにより、複数の日に同じ時間（８月１０日の午前１０時、８月１４日の午前１０時、・・・）に撮影した画像を順次表示できるので、定時観察画像の時系列的比較等を行うこともできる。
【０１０９】
なお、上記図８のステップＳ４−１、Ｓ４−１６のアナログ時計８１の表示又はステップＳ４−３、Ｓ４−１７の縮小画像８４の表示の際、撮影年月日を画面上に表示することが望ましい。また、ステップＳ４−３及びＳ４−１７で縮小画像を画面上の他の画像の表示サイズ（例えば、アナログ時計の大きさ）等に合わせて相対的に拡大又は縮小して表示することが望ましい。更に、ステップＳ４−２０で元画像の再生画像を画面上の他の画像の表示サイズ等に合わせて相対的に拡大又は縮小して表示するようにしてもよい。
【０１１０】
また、同じ時間に撮影した複数枚の画像がある場合には、アナログ時計に連動させて、代表の１枚（先頭か最後）を表示したり、マルチ画面表示したり、少しずつずらしながら重ね合わせて表示したり、所定時間毎に順次切り替え表示するようにしたり、ランダムに表示画像を選んで表示したり、期間によって選択画像を変える（例えば、１日は１枚目、２日は２枚目、３日は３枚目、・・・）ようにしてもよい。
【０１１１】
１−２；時計とスライドショー画像の連動表示  
図９は時計とスライドショー連動表示動作例を示す概略フローチャートであり、図１０〜図１２は、それぞれ時計とスライドショー連動表示の実施例を示す図であり、図１０は日付に係わらず現在時刻と同一時間帯に撮影した画像をアトランダムな順序でスライドショー表示した例、図１１は最も最近の再生日付の画像を撮影時間を示す時計と共にアトランダムな順序でスライドショー式に切り替えて表示した例、図１２は最も最近の再生日付の画像１０５、１０６、・・を撮影時間を示す時計と共にアトランダムに画面に割り当てて表示した例、図１３は最も最近の再生日付の画像１０５、１０６、・・を撮影時間を示す時計と共にアトランダムな順序で積み重ねて表示した例を示す。また、図１０〜図１３で符号１０１はアナログ時計、符号１０２はスライドショー表示された再生画像、符号１０３は撮影日を示す。また、図１０〜図１３で符号１０４は現在時刻を示す。なお、本実施例では、連動情報テーブル６０（図４）は画像の再生日時記憶欄を備え、画像が再生される毎に再生日時が上書き記憶されるものとする。
【０１１２】
図９において、再生モードで、制御部２０はユーザがスライドショー表示機能を選択したか否かを調べ、スライドショー表示機能を選択した場合はステップＴ２に進み、そうでない場合はステップＴ１０に進む（ステップＴ１）。
【０１１３】
スライドショー表示機能が選択されると、制御部２０は連動情報テーブル６０（図４）の再生日時を検索して日付に無関係に同一時間帯に撮影された画像の有無を調べ、同一時間帯に撮影された画像がある場合はステップＴ３に進み、ない場合はステップＴ６に進む（ステップＴ２）。    
現在時刻と同じ時間帯に撮影された撮影画像がある場合は、制御部２０は連動情報テーブル６０の再生日時を検索して日付に無関係に現在時刻と同じ時間帯（１時間、３０分、１５分等）に撮影された撮影画像の画像データを取り出し（ステップＴ３）、検索により取得した画像データを図１０（ａ）〜図１０（ｃ）の例に示すように所定の時間間隔で再生して再生画像１０２を表示し（ステップＴ４）、現在時刻を示すアナログ時計１０１、撮影日１０３、及び現在時刻と共に再生画像１０２に重畳表示してステップＴ８に進む（ステップＴ５）。
【０１１４】
現在時刻と同じ時間帯に撮影された撮影画像がない場合は、制御部２０は連動情報テーブル６０の再生日時を検索して最も最近に再生した日時の撮影画像の画像データを取り出して、図１１、図１２、又は図１３の例のいずれかに示すように再生して再生画像１０２を表示し（ステップＴ６）、現在時刻を示すアナログ時計１０１、撮影日１０３、及び現在時刻と共に再生画像１０２に重畳表示し、ステップＴ８に進む（ステップＴ７）。
【０１１５】
ユーザによる終了操作又は時間帯内の全画像を再生表示したあと所定時間を経過すると（ステップＴ８）、表示された画像に関する連動情報テーブル６０上の再生日時を現在の日時で更新して処理を終了する（ステップＴ９）。
【０１１６】
なお、上記図９〜図１３の説明では現在の時刻と同一時間帯（１５分、３０分、１時間等）に撮影された画像について述べたが、スライドショー表示する時間帯は現在の時刻と同一時間帯に限定されない。例えば、ユーザが指定した時間帯やある画像の撮影時刻と同一の時間帯でもよい。この場合、連動表示されるアナログ時計は表示されている画像の撮影時刻を示すようにすることが望ましい。
【０１１７】
上記構成により、画像と一緒にアナログ時計でアナログ的にスライドショー表示されている画像の撮影時刻を表示でき、現在の時刻や指定された時刻と略同一の時間帯に撮影された複数の画像をスライドショー表示できる。
【０１１８】
また、現在時刻と同じ時間帯に撮影された撮影画像がない場合は、最も最近の再生日付の画像を撮影時間を示すアナログ時計と共にアトランダムな順序でスライドショー式に切り替えて表示したり（図１１）、最も最近の再生日付の画像を撮影時間を示す時計と共にアトランダムに画面に割り当てて表示したり（図１２）、最も最近の再生日付の画像を撮影時間を示す時計と共にアトランダムな順序で積み重ねて表示したり（図１３）することにより、最近に再生された画像を一覧して知ることができる。
【０１１９】
（実施形態２）  
本実施形態では、カレンダに指定又は選択された期間（時間帯、日、週、又は月）内に撮影された画像やその縮小画像を時計時間に連動させて（＝対応付けて）表示する。以下、画像表示装置としてデジタルカメラ１００を例とし、図１〜図４を基に説明する。なお、本実施形態でアナログ表示される時計（以下、「アナログ時計」と記す）と共に連動表示される縮小画像の元画像は静止画像に限定されず、動画でもよい。
【０１２０】
２−１；撮影画像とカレンダの並列表示  
図１４は、表示画像とその撮影年月のカレンダの連動表示画面の一実施例を示す図であり、符号１４１は再生画像、符号１４２は再生画像撮影月のカレンダ、符号１４３は撮影日時を示し、この例では撮影日は反転表示されている。また、図１５は表示画像とその撮影年月のカレンダの連動表示動作例を示すフローチャートである。
【０１２１】
図１５で、ユーザがモードダイアル３１を操作して再生モードを選択すると、制御部２０は記録部５０を制御してメモリーカード５１に記録されている画像データ（圧縮データ）及びその画像情報を読み出させてＤＲＡＭ１４に転送させ（ステップＵ１）、読み出した画像データを再生し、表示部４０に送って液晶モニタ画面４１に再生画像１４１として表示させる。この際、再生画像１４１をカレンダ１４２の表示サイズに合わせて相対的に縮小して表示する（ステップＵ２）。
【０１２２】
また、取得した画像情報から撮影日時を取り出し、撮影年月に対応するカレンダデータをＯＳＤデータ用ＲＯＭ４５から取得し、表示部４０に送って液晶モニタ画面４１に表示されている再生画像１４１に並べて撮影年月のカレンダ１４２を表示する（ステップＵ３）。
【０１２３】
更に、表示部４０に表示制御コードを送り、カレンダ１４２の撮影日に対応する日付を強調するために他の日付とは異なるように差別表示（図１４の例では反転表示）させる（ステップＵ４）。
【０１２４】
次に、制御部２０は操作部３０からの信号を調べ、ユーザがカーソルキー３５を右（＞）操作したか否かを調べ、右操作した場合はステップＵ６に進み、終了操作が行われた場合は再生モードを終了する（ステップＵ５）。
【０１２５】
ステップＵ５で右操作した場合は、メモリーカード５１に記憶されている次の圧縮画像データを読み出させてＤＲＡＭ１４に転送させステップＵ２に戻る（ステップＵ６）。
【０１２６】
上記図１５のフローチャートに示す動作により、画像が再生されるとその画像の撮影年月のカレンダが並列表示され撮影日が反転表示等により強調表示されるので、撮影日時がわかりやすく、撮影時の情景や出来事などを思い出しやすい。
【０１２７】
なお、（１）お気に入りの再生画像をカーソル操作等により指定しておくと、お気に入り画像があることがわかるように差別表示（例えば、その日付を点滅表示）するようにしてもよい。また、（２）２枚目以降の画像を再生する場合、今回の再生モード操作ですでに再生済みの画像の撮影日付を反転表示以外の強調表示方法（例えば、白抜き）に変更して表示するようにしてもよい。（３）また、カレンダ上で日付を選択するとその日に再生された画像を再生表示するようにしてもよい。
【０１２８】
上記（１）、（２）、（３）の組み合わせにより、再生表示済みの画像をもう一度見たい場合や、再生済み画像のうちお気に入り画像だけを外部画像処理装置に転送したい場合や、お気に入り画像を印刷したい場合に、差別表示されている日付を指定するだけでお気に入りの画像を転送したり印刷したりすることができる。
【０１２９】
更に、同じ日に複数撮影画像がある場合はその日付欄にその旨のマーク（例えば、¬）を表示したり、その日付の近傍に枚数を表示するようにしてもよい。
【０１３０】
２−２；カレンダ上への画像の表示  
図１６は、カレンダ上への画像連動表示の一実施例を示す図であり、図１６は月間カレンダ１６０の日付と同一の日に撮影された画像の縮小画像１６１をその日付上に重畳表示するようにした例である。図１６が表示されているとき、ユーザがＤＩＳＰボタン３９を押すと図１７に表示切り替えされる。更にＤＩＳＰボタン３９を押すと図１８に表示切り替えされる。図１６で符号１６２で示されている縮小画像はユーザがカーソルキー３５の操作で選択した縮小画像を示している。図１６で表示されている縮小画像をカーソル操作等により選択・指定すると元画像１６６が表示されるように構成されており、同一日に撮影された複数の画像がある場合はＤＩＳＰボタン３９による表示切り替え操作または所定時間経過後、次の元画像１６７が表示される。
【０１３１】
図１７は週間カレンダ１７０による一覧表示の例であり、週別に、７日分の撮影画像の縮小データを表示できる。各曜日と日付の下に時間帯の枠が表示され、該当週に撮影された画像の縮小画像１７１、・・・を撮影該当日の該当する時間帯の欄に重畳表示するようにした例である。図１７が表示されているとき、ユーザがＤＩＳＰボタン３９を押すと図１８に表示切り替えされる。更にＤＩＳＰボタン３９を押すと図１６に表示切り替えされる。図１７で符号１７２で示されている縮小画像はユーザがカーソルキー３５の操作で選択した縮小画像を示している。図１７で表示されている縮小画像１７２をカーソル操作等により選択・指定すると元画像１７６が表示されるように構成されており、同一時間帯に撮影された複数の画像がある場合はＤＩＳＰボタン３９による表示切り替え操作または所定時間経過後、次の元画像が表示される。
【０１３２】
図１８は時計型の日別カレンダであり、その日に撮影された画像の撮影時刻や時間帯に対応するアナログ時計状のカレンダ１８０の文字盤の１２時間制又は２４時間制の枠内に縮小画像を重畳表示するようにした例である。図１８が表示されているとき、ユーザがＤＩＳＰボタン３９を押すと図１６に表示切り替えされる。更にＤＩＳＰボタン３９を押すと図１７に表示切り替えされる。図１８で符号１８２で示されている縮小画像はユーザがカーソルキー３５の操作で選択した縮小画像を示している。図１８で表示されている縮小画像１８２をカーソル操作等により選択・指定すると元画像１８６が表示されるように構成されており、同一時間帯に撮影された複数の画像がある場合はＤＩＳＰボタン３９による表示切り替え操作または所定時間経過後、次の元画像１８７が表示される。
【０１３３】
また、同一日付（図１６）、又は同一日付の同一時間帯（図１７、図１８）に撮影された複数の画像がある場合はその旨を意味するマーク（図示の例では、¬）１６５、１７５、１８５が縮小画像の近傍に表示されている。なお、この際、日付上（或いは、時間帯上）に表示される縮小画像は複数の画像のうちの代表画像（実施例ではその日付或いはその日付の同一時間帯に撮影された画像のうちの先頭の画像）の縮小画像である（図１６の６日、１０日、２８日、図１７の２８日６〜９時、１２時〜午後３時、３０日１２時〜午後４時、図１７の１時〜３時、４時〜５時、９時〜１１時の縮小画像参照）。
【０１３４】
また、カーソルキー３５を左（＜）又は右（＞）操作すると、図１６の例では操作回数に応じて月数を進め、又は操作回数に応じて月数を遡ってカレンダとその月に撮影された画像の縮小画像が日付上に表示され、図１７の例では操作回数に応じて週を進め、又は操作回数に応じて週を遡ってカレンダとその週に撮影された画像の縮小画像が日付及び時間帯上に表示され、図１８の例では操作回数に応じて日数を進め、又は操作回数に応じて日数を遡ってカレンダとその日に撮影された画像の縮小画像が時間帯上に表示される。
【０１３５】
図１９は、カレンダ上への画像連動表示動作例を示すフローチャートであり、デジタルカメラ１００で再生モードが選択されると（ステップＶ１）、制御部２０は、先ず、ＯＳＤデータ用ＲＯＭ４５から現在月のカレンダデータを読み出し、現在月の月間カレンダを表示し、操作部３０からの信号を調べ、ＤＩＳＰボタン３９が押された場合はステップＶ１２に進み、そうでない場合はカーソルキー３５の左（＜）、右（＞）操作が行われたか否かを調べてステップＶ３に進む（ステップＶ２）。
【０１３６】
上記ステップＶ２で調べたカーソルキーの左右操作回数に応じて月数を進めるか遡らせた月の月間カレンダデータをＯＳＤデータ用ＲＯＭ４５から読み出して該当月の月間カレンダを表示し（ステップＶ３）、記録部５０を制御してメモリーカード５１の連動情報テーブル６０の撮影時刻６１を検索し（ステップＶ４）、該当月の縮小画像データがある場合はステップＶ６に進み、該当月の縮小画像データがない場合はステップＶ９に進む（ステップＶ５）。
【０１３７】
該当月の縮小画像データがある場合は連動情報テーブル６０から該当月の縮小画像データのポインタ６３を得て該当月に撮影された縮小画像データを読み出し、表示されているカレンダの日付のうち画像の撮影日に対応する日付欄に縮小画像を表示する。なお、その日に撮影された複数の画像の縮小画像データがあった場合はその中の先頭の画像の縮小画像を表示する（ステップＶ６）。また、代表画像を表示した際はその旨の表示マーク（図１６の例ではマーク１６５（¬マーク））を表示する（ステップＶ７）。
【０１３８】
次に、表示した画像が該当月の最後の画像か否かを調べ、最後の画像の場合はカレンダに縮小画像を表示し終えたものとしてステップＶ９に進み、そうでない場合はステップＶ４に戻る（ステップＶ８）。
【０１３９】
ユーザは縮小画像が表示されている日付をカーソルキー３５の右（＞）、左（＜）操作により選択してＳＥＴキー３５１の押し下げにより指定することができる。そこで、制御部２０は操作部３０からの信号を調べ、所定時間経過しても日付の選択・指定操作が行われない場合はステップＶ１１に進み、日付の選択・指定操作が行われた場合はステップＶ１０に進む（ステップＶ９）。
【０１４０】
月間カレンダの日付欄に表示されている縮小画像のうち、代表画像が表示されている画像（つまり、同一日に撮影した画像が複数ある場合）が指定された場合に、ユーザはカーソルキー３５の上（∧）／下（∨）操作によりページを戻したり、送ったりすることができる。そこで、制御部２０は操作部３０からの信号を調べ、カーソルキー３５の下（∨）操作毎に、同一日に撮影した縮小画像データをメモリーカード５１から正順に取り出して指定されている日付に上書き表示する。また、カーソルキー３５の上（∧）操作毎に、同一日に撮影した縮小画像データをメモリーカード５１から逆順に取り出して指定されている日付に上書き表示する（ステップＶ１０）。
【０１４１】
ユーザがカーソルキー３５の操作により、所望の縮小画像上にカーソルを移動させ、ＳＥＴキー３５１を押し下げると選択された画像を再生表示できる。そこで、制御部２０は操作部３０からの信号を調べ、ＳＥＴキー３５１が押し下げられた場合はステップＶ３２に進み、そうでない場合はステップＶ９に戻る（ステップＶ１１）。
【０１４２】
上記ステップＶ２でＤＩＳＰボタン３９が押された場合は、制御部２０は、先ず、ＯＳＤデータ用ＲＯＭ４５から現在週のカレンダデータを読み出し、現在週の週間カレンダを表示してから操作部３０からの信号を調べ、ＤＩＳＰボタン３９が押された場合はステップＶ２２に進み、そうでない場合はカーソルキー３５の左（＜）、右（＞）操作が行われたか否かを調べてからステップＶ１３に進む（ステップＶ１２）。
【０１４３】
上記ステップＶ１２で調べたカーソルキーの左右操作回数に応じて週数を進めるか遡らせた週の週間カレンダデータをＯＳＤデータ用ＲＯＭ４５から読み出して該当週の週間カレンダを表示し（ステップＶ１３）、記録部５０を制御してメモリーカード５１の連動情報テーブル６０の撮影時刻６１を検索し（ステップＶ１４）、該当週の縮小画像データがある場合はステップＶ１６に進み、該当週の縮小画像データがない場合はステップＶ１９に進む（ステップＶ１５）。
【０１４４】
該当週の縮小画像データがある場合は連動情報テーブル６０から該当週の縮小画像データのポインタ６３を得て該当週に撮影された縮小画像データを読み出し、表示されているカレンダの日付のうち画像の撮影日に対応する日付欄に縮小画像を表示する。その日に撮影された複数の画像の縮小画像データがあった場合はその中の先頭の画像の縮小画像を代表画像として表示する（ステップＶ１６）。また、代表画像を表示した際はその旨の表示マーク（図１７の例ではマーク１７５（¬マーク））を表示する（ステップＶ１７）。
【０１４５】
次に、表示した画像が該当週の最後の画像か否かを調べ、最後の画像の場合はカレンダに縮小画像を表示し終えたものとしてステップＶ１９に進み、そうでない場合はステップＶ１４に戻る（ステップＶ１８）。
【０１４６】
制御部２０は操作部３０からの信号を調べ、所定時間経過しても日付の選択・指定操作（カーソルキー３５の左右操作）が行われない場合はステップＶ２１に進み、日付の選択・指定操作が行われた場合はステップＶ２０に進む（ステップＶ１９）。
【０１４７】
週間カレンダの日付欄に表示されている縮小画像のうち、代表画像が表示されている画像が指定された場合に、ユーザはカーソル操作によりページを戻したり、送ったりすることができる。そこで、制御部２０は操作部３０からの信号を調べ、カーソルキー３５の下（∨）操作毎に、同一日に撮影した縮小画像データをメモリーカード５１から正順に取り出して指定されている日付に上書き表示する。また、カーソルキー３５の上（∧）操作毎に、同一日に撮影した縮小画像データをメモリーカード５１から逆順に取り出して指定されている日付に上書き表示する（ステップＶ２０）。
【０１４８】
ユーザがカーソルキー３５の操作により、所望の縮小画像上にカーソルを移動させ、ＳＥＴキー３５１を押し下げると選択された画像を再生表示できる。そこで、制御部２０は操作部３０からの信号を調べ、ＳＥＴキー３５１が押し下げられた場合はステップＶ３２に進み、そうでない場合はステップＶ１９に戻る（ステップＶ２１）。
【０１４９】
上記ステップＶ１２でＤＩＳＰボタン３９が押された場合は、制御部２０は、先ず、ＯＳＤデータ用ＲＯＭ４５から現在日のカレンダデータを読み出し、現在日の日別カレンダを表示してから操作部３０からの信号を調べ、ＤＩＳＰボタン３９が押された場合はステップＶ２に進み、そうでない場合はカーソルキー３５の左（＜）、右（＞）操作が行われたか否かを調べてからステップＶ２３に進む（ステップＶ２２）。
【０１５０】
上記ステップＶ２２で調べたカーソルキーの左右操作回数に応じて日数を進めるか遡らせた日の日別カレンダデータをＯＳＤデータ用ＲＯＭ４５から読み出して該当日の日別カレンダを表示し（ステップＶ２３）、記録部５０を制御してメモリーカード５１の連動情報テーブル６０の撮影時刻６１を検索し（ステップＶ２４）、該当日の縮小画像データがある場合はステップＶ２６に進み、該当日の縮小画像データがない場合はステップＶ２９に進む（ステップＶ２５）。
【０１５１】
該当日の縮小画像データがある場合は連動情報テーブル６０から該当日の縮小画像データのポインタ６３を得て該当日に撮影された縮小画像データを読み出し、表示されているカレンダの時刻又は時間帯欄のうち画像の撮影時間に対応する時刻又は時間帯欄に縮小画像を表示する。その時刻又は時間帯に撮影された複数の画像の縮小画像データがあった場合はその中の先頭の画像の縮小画像を代表画像として表示する（ステップＶ２６）。また、代表画像を表示した際はその旨の表示マーク（図１８の例ではマーク１８５（¬マーク））を表示する（ステップＶ２７）。
【０１５２】
次に、表示した画像が該当日の最後の画像か否かを調べ、最後の画像の場合はカレンダに縮小画像を表示し終えたものとしてステップＶ２９に進み、そうでない場合はステップＶ２４に戻る（ステップＶ２８）。
【０１５３】
制御部２０は操作部３０からの信号を調べ、所定時間経過しても時刻又は時間帯の選択・指定操作（カーソルキー３５の左右操作）が行われない場合はステップＶ３１に進み、時刻又は時間帯の選択・指定操作が行われた場合はステップＶ３０に進む（ステップＶ２９）。
【０１５４】
日別カレンダの時刻又は時間帯欄に表示されている縮小画像のうち、代表画像が表示されている画像が指定された場合に、ユーザはカーソル操作によりページを戻したり、送ったりすることができる。そこで、制御部２０は操作部３０からの信号を調べ、カーソルキー３５の下（∨）操作毎に、同一日に撮影した縮小画像データをメモリーカード５１から正順に取り出して指定されている日付に上書き表示する。また、カーソルキー３５の上（∧）操作毎に、同一日に撮影した縮小画像データをメモリーカード５１から逆順に取り出して指定されている日付に上書き表示する（ステップＶ３０）。
【０１５５】
ユーザがカーソルキー３５の操作により、所望の縮小画像上にカーソルを移動させ、ＳＥＴキー３５１を押し下げると選択された画像を再生表示できる。そこで、制御部２０は操作部３０からの信号を調べ、ＳＥＴキー３５１が押し下げられた場合はステップＶ３２に進み、そうでない場合はステップＶ２９に戻る（ステップＶ３１）。
【０１５６】
制御部２０は、連動情報テーブル６０から上記ステップＶ１１、Ｖ２１、又はＶ３１で選択された縮小画像に対応する元画像のポインタを取り出し、記録部５０を制御して元画像の画像データを取り出して再生処理を施し、再生画像を表示する（ステップＶ３２）。
【０１５７】
上記図１６〜図１８及び図１９のフローチャートに示した動作により、撮影日時に対応する月間カレンダ及び週間カレンダの日付欄や日別カレンダの時刻又は時間帯欄に縮小画像を表示し、同じ日や同じ時間帯に撮影した複数の画像がある場合にもページ送りして画像を選択したり、日別カレンダ上で時刻又は時間帯別に振り分けて直接選択できるので、画像の検索が容易である。
【０１５８】
なお、上記図１９のフローチャートのステップＶ６、Ｖ１６、Ｖ２６、Ｖ１０、Ｖ２０、及びＶ３０で縮小画像を画面上の他の画像の表示サイズ（例えば、日付欄の大きさ）等に合わせて相対的に拡大又は縮小して表示することが望ましい。更に、ステップＶ３２で元画像の再生画像を画面上の他の画像の表示サイズ等に合わせて相対的に拡大又は縮小して表示するようにしてもよい。
【０１５９】
図２０〜図２２は、日別カレンダ上への画像連動表示の他の実施例を示す図であり、図２０は昼間１２時間表示の日別カレンダ２０１（図２０（ａ））と夜間１２時間表示の日別カレンダ２０２（図２０（ｂ））とを切り替え表示可能とした例であり、図１９のフローチャートのステップＶ２２で日別カレンダに切り替え表示する際に現在時刻から昼間か夜間かを自動判定して日別カレンダ２０１又は日別カレンダ２０２を表示するようにしたり、ステップＶ２３以降の任意のステップでＤＩＳＰボタン３９が押された場合に、日別カレンダ２０１と日別カレンダ２０２の表示切り替えを行うように構成してもよい。
【０１６０】
図２１は２４時間制でその日に撮影した画像を一覧表示可能とした日別カレンダの例である。また、図２２はある一日に撮影した画像をバーグラフや直線状に時刻２２３や時間帯を並べて、そこに縮小画像２２２を一覧表示するようにした日別カレンダの例であり、日別カレンダ２２０に暦や月例、六曜や、或いは個人や仕事の予定表（スケジュール）の内容２２４等、計時情報関連のデータを一緒に表示するようにしてもよい。例えば、図２２の日別カレンダ２２０のように、その日一日の撮影画像の縮小画像２２２と予定内容データ２２４が時刻順に表示されると過去のその日の出来事を、あたかも日記を読むように、記憶を蘇らせることもできるので便利である。
【０１６１】
図２３は、カレンダの日付に無関係に指定された時間帯に撮影された画像の再生表示の一実施例を示す図であり、図２３（ａ）は時間帯２３１を縦軸に、日付２３２を横軸にとった画像一覧カレンダであり、日付別、時間帯別に該当する撮影画像の縮小画像２３３が重畳表示される。また、同一時間帯に撮影した複数の画像がある場合にはマーク（図示の例では¬）２３４が縮小画像と共に表示される。図２３（ｂ）〜図２３（ｅ）は特定の時間帯（この例では６時から７時）に撮影された画像の再生表示例を示す。また、図２４は指定された時間帯に撮影された画像の再生表示例を示すフローチャートである。
【０１６２】
図２４において、再生モードで、制御部２０は、図２３（ａ）に示したような画像一覧カレンダ２３０を表示し、ユーザに時間帯の選択を促し（ステップＷ１）、ユーザが画像一覧カレンダ２３０を見て時間帯を指定すると（ステップＷ２）、制御部２０は、連動情報テーブル６０（図４）の撮影日時６１を検索して日付に無関係に同一時間帯に撮影された画像の有無を調べ（ステップＷ３）、同一時間帯に撮影された画像がある場合には画像のポインタを取り出し、メモリーカード５１から指定された時間帯の画像データを順次取り出して再生処理を施し（ステップＷ４）、再生画像を順次表示する（ステップＷ５）。
【０１６３】
上記図２４のフローチャートに示した動作により、例えば、明け方や、日没や夜間の画像だけを検索する「時間別検索」を行うことができるので、多数の画像がある場合や撮影日が思い出せない場合にも迅速に同種の画像を検索することができる。
【０１６４】
＜変形例１＞  
上記図１０〜図１４、図１６〜図２３で表示されるカレンダ上に上述した以外の各種情報を表示するようにしてもよい。以下、図２５により、画像が連動表示されているカレンダ上の情報表示の実施例を示す。
【０１６５】
図２５（ａ）は、カレンダの日付の日（或いは時間帯）に撮った画像の枚数を縮小画像と共に日付欄（或いは時間帯欄）に表示したり（図２５（ａ−１））、枚数だけでなく録音や動画の有無をマーク等で表示したり（図２５（ａ−３））した例である。この場合、撮影枚数等の情報を日付と明確に区別するために点滅等により差別表示してもよい。なお、撮影枚数等の情報を日付欄（或いは時間帯欄）に表示されている縮小画像に上書き表示するようにしてもよい。
【０１６６】
また、撮影枚数等の情報表示はＤＩＳＰボタン３９を押すとオン／オフできるようにしてもよい。また、ＤＩＳＰボタン３９を押さなくてもｎ秒毎にオン／オフを切り替えるようにしてもよい。また、同一日（或いは。同一時間帯）に撮影された複数の画像がある場合にはＤＩＳＰボタン３９の押し下げに伴い、２枚目、３枚目、・・・の画像を日付欄に再生表示するようにしてもよい。
【０１６７】
図２５（ｂ）は、ＤＩＳＰボタン３９を押し下げする毎に報知情報を変えるようにした例であり、図２５（ｂ−１）は日付を表示した例、図２５（ｂ−２）は撮影枚数を表示した例、図２５（ｂ−３）は録音や動画の有無を表示した例である。なお、ＤＩＳＰボタン３９を押さなくても報知情報を切り替えるようにしてもよい。
【０１６８】
図２５（ｃ）はカレンダの特定の位置に情報表示エリアを設け、そこに選択された画像に係わる情報を表示するようにした例である。図２５（ｄ）はＤＩＳＰボタン３９を押すと選択された画像の情報を日付欄又は表示されている縮小画像に関連付けて吹き出し表示するようにした例であり、表示された情報が読みやすい。図２５（ｅ）はＤＩＳＰボタン３９を押すと拡大された画像の情報を表示したり、何枚目の画像かといったページ表示だけでなく、画像のサイズや画質などの情報も表示するようにした例である。
【０１６９】
＜変形例２＞  
図２６及び図２７は、バーグラフ付きカレンダ上への画像連動表示の一実施例を示す図であり、撮影時間をグラフ表示するようにした例であり、図２６（ａ）は２４時間表示のバーグラフ付きカレンダ２６０と連動表示された縮小画像の例を示し、図２６（ｂ）は選択された画像の再生画像２６５を示し、図２７（ａ）は１時間表示のバーグラフ付きカレンダ２７０と連動表示された縮小画像の例を示し、図２７（ｂ）は選択された画像の再生画像２７５を示す。
【０１７０】
図２６（ａ）で、カレンダ２６０の外周には撮影時間を表す２４時間表示のバーグラフ２６１が表示され、カレンダ月（この例では、２００３年７月）に撮影された画像の縮小画像２６２−１、２６２−２、２６２−３、２６２−４が撮影日に相当する日付欄に表示されている。なお、図示の例では表示欄に表示されている縮小画像はこの日付の日に撮影された静止画又は動画の代表画像である。なお、静止画と動画で枠の表示色を変えてもよい。
【０１７１】
ここで、バーグラフ２６１で斜線で示されている撮影時刻表示部分２６１−１、２６１−２、２６１−３、２６１−４は選択された日付欄に示されている縮小画像２６２−１、２６２−２、２６２−３、２６２−４の元画像である静止画或いは動画の撮影時刻を示し（例えば、バーグラフ２６１の部分２６１−２は２００３年７月１７日に撮影された動画の撮影時間（１０時００分〜１１時４０分）を示し）、静止画と動画で点滅間隔が異なる。なお、静止画と動画で枠の表示色を変えてもよい。
【０１７２】
例えば、カレンダ２６０の「２０日」の日付欄の縮小画像をカーソルキー３５の操作等により選択すると、図示のように選択された日付欄が点滅する（或いは、表示色が変わる）と同時に、カレンダ２６０の外周のバーグラフ２６１の撮影時刻表示部分２６１−３が点滅（或いは、表示色が変わる）する。
【０１７３】
また、縮小画像が表示されているバーグラフ２６１の撮影時刻表示部分を指定することにより、図２６（ｂ）に示すように元画像２６５を再生表示することができる。図示の例は、２００３年７月２０日１２時５０分から１３時３０分の間に撮影された画像の表示例である。同じ時間帯に撮影した複数の静止画像がある場合はカーソルキー３５の上下操作によりページ送りやページ戻しを行うことができる。また、動画が撮影されている場合はカーソルキー３５の上下操作により動画表示を進めたり戻したりできる。
【０１７４】
また、図２６（ａ）でカレンダ２６０が表示されているときにＤＩＳＰボタン３９を押すと表示切り替えが行われ、他の時間表示のグラフ付きカレンダ表示（例えば、図２７（ａ）のカレンダ２７０の表示）に切り替えることができる。
【０１７５】
図２７（ａ）で、カレンダ２７０の曜日表示欄の上には時間２７３が表示され、カレンダ２７０の外周には分単位の撮影時刻を表す１時間表示のバーグラフ２７１が表示されている。また、カレンダ２７０の日付欄にはカレンダ月（この例では、２００３年７月）に撮影された画像のうち、日付欄に対応する日に撮影された縮小画像２７２−１、２７２−２、２７２−３、２７２−４が表示されている。なお、図示の例では表示欄に表示されている縮小画像はこの日付の日に撮影された静止画又は動画の代表画像である。なお、静止画と動画で枠の表示色を変えてもよい。
【０１７６】
ここで、バーグラフ２７１で斜線で示されている撮影時刻表示部分２７１−１、２７１−２、２７１−３、２７１−４は選択された日付欄に示されている縮小画像２７２−１、２７２−２、２７２−３、２７２−４の元画像である静止画或いは動画の撮影時刻を示し静止画と動画で点滅間隔が異なる。なお、静止画と動画で枠の表示色を変えてもよい。
【０１７７】
また、縮小画像が表示されているバーグラフ２７１の撮影時刻表示部分を指定することにより、図２７（ｂ）に示すように元画像２７５を再生表示することができる。図示の例は、２００３年７月２０日１３時１５分に撮影された画像の表示例である。同じ時間帯に撮影した複数の静止画像がある場合はカーソルキー３５の上下操作によりページ送りやページ戻しを行うことができる。また、動画が撮影されている場合はカーソルキー３５の上下操作により動画表示を進めたり戻したりできる。
【０１７８】
また、図２７（ａ）でカレンダ２７０が表示されているときにＤＩＳＰボタン３９を押すと表示切り替えが行われ、他の時間表示のグラフ付きカレンダ表示（例えば、図２６（ａ）のカレンダ２６０の表示）に切り替えることができる。
【０１７９】
図２８は、バーグラフ表示付きカレンダ上への画像連動表示の概略動作例を示すフローチャートであり、再生モードが選択されると（ステップＸ１）、制御部２０は指定された年月の２４時間表示バーグラフ付き月間カレンダを表示する（ステップＸ２）。
【０１８０】
次に、カレンダの示す年月に撮影された縮小画像をメモリーカード５１から取り出し、図２６（ａ）の例に示したようにその撮影日に対応するバーグラフ付き月間カレンダの日付欄に表示する。なお、複数の画像が同一日に撮影された場合は代表画像を表示する（ステップＸ３）。また、カレンダの外周に表示されている２４時間表示のバーグラフのうち取り出された縮小画像の元画像の撮影時刻に相当する時刻または時間帯の部分の配色を周りとは変化させて表示する（ステップＸ４）。
【０１８１】
制御部２０は、カレンダに示す年月に撮影された全ての画像の縮小画像が日付欄に表示されるまで上記ステップＸ３、Ｘ４を繰り返し（ステップＸ５）、全ての画像の縮小画像が日付欄に表示されると、所定時間内にＤＩＳＰボタン３９が押されたか否かを調べ、押された場合はステップＸ７に進み、押されていない場合はステップＸ１２に進む（ステップＸ６）。
【０１８２】
ＤＩＳＰボタン３９が押された場合は、制御部２０は画面をクリアした後、指定済みの年月の１時間表示バーグラフ付き月間カレンダを表示する（ステップＸ７）。カレンダの示す年月に撮影された縮小画像をメモリーカード５１から取り出し、図２７（ａ）の例に示したようにその撮影日に対応する１時間表示バーグラフ付き月間カレンダの日付欄に表示する。なお、複数の画像が同一日に撮影された場合は代表画像を表示する（ステップＸ８）。また、カレンダの外周に表示されている１時間表示のバーグラフのうち取り出された縮小画像の元画像の撮影時刻に相当する時刻または時間帯の部分の配色を周りとは変化させて表示する（ステップＸ９）。
【０１８３】
制御部２０は、カレンダに示す年月に撮影された全ての画像の縮小画像が日付欄に表示されるまで上記ステップＸ８、Ｘ９を繰り返し（ステップＸ１０）、全ての画像の縮小画像が日付欄に表示されると、所定時間内にＤＩＳＰボタン３９が押されたか否かを調べ、押された場合はステップＸ２に戻り、押されていない場合はステップＸ１２に進む（ステップＸ１１）。
【０１８４】
ＤＩＳＰボタン３９が押されなかった場合は、縮小画像が表示されている日付欄がカーソルキー３５の操作により指定されたか否かを調べ（ステップＸ１２）、指定された場合指定した画像が動画か静止画かを調べ、動画の場合はステップＸ１９に進む（ステップＸ１３）。
【０１８５】
また、指定された画像が静止画の場合は、メモリーカード５１から指定された日付欄に表示されている縮小画像（或いは代表画像の縮小画像）の元画像データを読み出し、再生処理を施して再生画像を表示し（ステップＸ１４）、縮小画像の元画像が代表画像か否かを調べ（ステップＸ１５）、代表画像の場合は、制御部２０は操作部３０からの信号を基にページ送り操作がなされたか否かを調べ、ページ送り操作が行われた場合、つまり、カーソルキー３５の下方（∨）操作があるとステップＸ１７に進み、そうでない場合はＸ１８に進む（ステップＸ１６）。
【０１８６】
ページ送り操作があると、同じ撮影日の画像データを順次メモリーカード５１から読み出して再生処理を施して再生画像を表示し（ステップＸ１７）、所定時間を経過した場合は、表示されているカレンダ又は再生画像をクリアして処理を終了する（ステップＸ１８）。
【０１８７】
メモリーカード５１から指定された日付欄に表示されている縮小画像の元画像データ（動画データ）を順次読み出し、ＤＲＡＭ１４に一時記憶（保持）し（ステップＸ１９）、再生処理を施して表示し（ステップＸ２０）、操作部３０からの信号を基にページ送り／戻し操作がなされたか否かを調べ、ページ送り／戻し操作がなされた場合、つまり、カーソルキー３５の下方（∨）操作又は上方（∧）操作があるとステップＸ２２に進み、そうでない場合はＸ２３に進む（ステップＸ２１）。
【０１８８】
ページ送り／戻り操作があると、現在表示されている動画像より操作時間分だけ先または後の動画像データを正順又は逆順にＤＲＡＭ１４から読み出して再生処理を施して表示する（ステップＸ２２）。制御部２０はまた、操作部３０からの信号を基に動画表示終了操作が行われたか否かを調べ、動画表示終了操作が行われた場合は表示されているカレンダ又は再生画像をクリアして処理を終了し、そうでない場合はステップＸ２１に戻る（ステップＸ２３）。
【０１８９】
上記図２６及び図２７と、図２８のフローチャートに示す動作により、表示するカレンダの周囲に撮影時間をグラフ表示するので、ある指定日のどの時間にどの程度の画像があるかが一目でわかる。また、動画を再生する場合、このカット（撮影単位）がどのくらい続くのかが一目でわかる。
【０１９０】
また、グラフをカレンダの周囲に設けたので場所をとらない。従って、画面の大きさが制限されているデジタルカメラや携帯電話や表示部付きクレードルのように画面が小さい画像表示装置でもカレンダが見やすい。更に、バーグラフ上の時刻を指定してその時刻に撮影された画像を呼び出す（＝再生表示する）ことが容易であり、特に、撮影時間の長い動画の場合効果的である。
【０１９１】
なお、上記図２８のステップＸ３及びＸ８で縮小画像を画面上の他の画像の表示サイズ（例えば、日付欄の大きさ）等に合わせて相対的に拡大又は縮小して表示することが望ましい。更に、ステップＸ１４及びＸ１７で元画像の再生画像を画面上の他の画像の表示サイズ等に合わせて相対的に拡大又は縮小して表示するようにしてもよい。
【０１９２】
なお、上記実施例では時間のグラフ表示をバーグラフを例として説明したが、グラフ表示の方法はバーグラフに限定されない。例えば、円グラフでもよい。また、グラフ表示付きカレンダのグラフは２４時間制と１時間制としたがこれらに限定されない、例えば１２時間制でもよいし、他の時間制でもよい。また、上記実施例ではカレンダの期間を１ヶ月単位としたがカレンダの期間は１ヶ月単位に限定されない。例えば、１０日単位、週間単位でもよく、１日単位でもよい。
【０１９３】
また、パーソナルコンピュータ（以下、パソコン）のように表示画面が十分広い場合は図２６（ｂ）、図２７（ｂ）の元画像の表示を１ヶ月分同時に表示するようにしてもよい。このようにすれば、１ヶ月全ての日において時間のグラフ表示となり、一度に把握できる。
【０１９４】
上記実施形態１及び実施形態２ではデジタルカメラを画像表示装置の例として説明したが、画像表示装置という語はデジタルカメラに限定されない。例えば、表示部を備えた電子カメラや撮像装置、携帯電話、携帯情報端末、パソコン、画像記憶部及び表示部を備えた通信端末、画像表示部を備えたクレードル、などにも適用できる。
【０１９５】
＜応用例＞  
図２９は、上記画像検索型カレンダ表示システムのネットワーク構成例を示す図である。以下、携帯電話に本発明のカレンダと画像の連動表示方法を適用した、画像検索型カレンダ表示システムの一例について図２９を基に説明する。  
画像検索型カレンダ表示システム８００は、図２９に示すように、インターネット等の通信ネットワーク７００に接続するデータベース５２０を備えたサーバ５１０と、携帯電話等の携帯情報端末（以下、携帯電話）６１０、パソコン等の通信情報端末（以下、パソコン）６２０からなる。なお、符号７５０は通信ネットワーク７００に接続し、携帯電話６１０からの無線データ受信して復調し、デジタルデータに変換して通信ネットワーク７００に送出し、通信ネットワーク７００からのデータ（デジタルデータ）を無線信号に変換して変調し、無線網に送出する無線基地局を示す。
【０１９６】
サーバ５１０は携帯電話６１０やパソコン６２０等の端末（以下、「情報端末」と記す）から、画像検索型カレンダ表示指示があると指定された月のカレンダを生成してそのカレンダの日付に対応付けられた縮小画像データと共に生成したカレンダデータを要求元の情報端末に送信し、画像送信要求があるとデータベース５２０から要求された画像データ及びメッセージデータを取り出して要求元の情報端末宛てに送信する。また、詳細メッセージ送信要求があるとデータベース５２０から要求された詳細メッセージデータを取り出して要求元の情報端末宛てに送信する。
【０１９７】
データベース５２０には、携帯電話６１０やパソコン６２０の画面に表示するＯＳＤ用の記号や、時計表示やカレンダ表示用のフォーマットや、図形および文字等のデジタル化された情報と、所定のジャンル（分野）別、月別、及び日別の順に分類された画像ファイル（縮小画像データ及びその元画像の圧縮画像データ）、各画像に対応付けられたメッセージデータ、ＵＲＬ、及び各画像に対応付けられた詳細情報ファイル、及び通信ネットワーク７００に接続した情報端末にダウンロードする各種プログラム、例えば、本発明のカレンダと画像の連動表示方法を実現するプログラムの一種である画像検索型カレンダ表示動作プログラム、等が登録されている。
【０１９８】
図３０は、携帯電話又はパソコンによる画像検索型カレンダ表示動作時に表示される画面の例を示す図であり、図３０（ａ）は情報端末を起動すると表示されるメニュー画面、図３０（ｂ）はジャンル別カレンダ選択画面の例であり、選択可能なジャンル名等がメニュー表示される。ユーザはイベント等のジャンル別に生成されるカレンダの種類を選択することができる。
【０１９９】
図３０（ｃ）は、図３０（ｂ）で選択されたジャンルの月間カレンダであり、当初は選択されたジャンルの現在月のカレンダが表示され、その月に該当する画像の縮小画像が対応する日付欄に表示される。また、カレンダの月を指定することもできる。図３０（ｃ）で符号３１１はカレンダを、符号３１２は縮小画像を、符号３１３は表示する月間カレンダの月を選択・指定する選択・指定欄、符号３１４は指定すると図３０（ｂ）に戻る「戻り」ボタンを示す。
【０２００】
図３０（ｄ）は、図３０（ｃ）で日付欄の縮小画像を選択・指定すると表示される画面であり、符号３１５は選択・指定された縮小画像の元画像、符号３１６は説明用メッセージ、符号３１７は表示された画像３１５に関連するホームページのアドレスを示すＵＲＬ、符号３１８は指定すると図３０（ｃ）に戻る「戻り」ボタン、符号３１９は詳細情報表示指示を示す。なお、ＵＲＬ３１７のうちの一つを指定すると指定されたＵＲＬで規定されるホームページにリンクする。
【０２０１】
図３０（ｅ）はホームページ又は詳細情報の表示画面であり、符号３２０は指定すると図３０（ｄ）に戻る「戻り」ボタン、符号３２１は指定すると処理を終了する「終了」ボタンを示す。図３０（ｄ）でＵＲＬが指定されるとホームページが表示され、符号３１９が選択されると画像３１５に関連する詳細情報が表示される。
【０２０２】
図３０の例では、情報端末を起動すると図３０（ａ）のメニュー画面が表示されるのでユーザが「ジャンル別カレンダ検索」メニューを選択すると、図３０（ｂ）に示すようなジャンル別カレンダ選択画面が表示される。ユーザが「１．季節の花だより」を選択すると図３０（ｃ）に示すような花便りに関連する縮小画像を日付欄に表示した現在月の月間カレンダが表示される。ユーザが年月選択欄３１３でカレンダの年月を選択・指定するとその年月のカレンダ３１１及びその月の花に関連する画像の縮小画像が表示される。
【０２０３】
図３０（ｃ）で表示されている縮小画像を選択・指定すると図３０（ｄ）に示す花の画像（指定された縮小画像の元画像）３１５と説明メッセージ３１６、関連するホームページのＵＲＬ３１７、詳細情報表示指示３１９等が表示される。
【０２０４】
図３０（ｄ）でＵＲＬが指定されると図３０（ｅ）に画像３１５に係わる情報を含むホームページが表示され、詳細情報表示指示３１９が指定されると画像３１５に係わる詳細情報が表示される。
【０２０５】
図３１は、画像検索型カレンダ表示システムパソコンにおける各種端末とサーバの動作例を示すフローチャートであり、図３１（ａ）は情報端末としての携帯電話６１０の動作例を示し、図３１（ｂ）はサーバの動作例を示す。なお、本応用例では情報端末として携帯電話を例として説明するが情報端末はこれに限定されない。
【０２０６】
・携帯電話側の動作  
図３１（ａ）で、携帯電話６１０が起動されると携帯電話の制御部は動作プログラムに従って図３０（ａ）に示すようなメニュー画面を表示してユーザに選択を促す（ステップＹ１）。ユーザが「ジャンル別カレンダ検索」メニューを選択するとプログラム送信要求が通信ネットワーク７００を介してサーバ５１０に送信される（ステップＹ２）。
【０２０７】
次に、携帯電話６１０の制御部は通信ネットワーク７００を介してサーバ５１０から送信された画像検索型カレンダ表示動作プログラムをＲＡＭ等の一時記憶メモリにダウンロードし（ステップＹ３）、ダウンロードした画像検索型カレンダ表示動作プログラムに従って図３０（ｂ）に示すようなジャンル別カレンダ選択画面を表示してジャンルの選択を促す（ステップＹ４）。
【０２０８】
ユーザが図３０（ｂ）に示されているジャンルの一つ、例えば、「１．季節の花だより」、を選択すると、携帯電話の制御部は画像検索型カレンダ表示動作プログラムに従って、選択されたジャンル情報及び現在年月を含むカレンダ送信要求を通信ネットワーク７００を介してサーバ５１０に送信する（ステップＹ５）。
【０２０９】
携帯電話６１０の制御部は通信ネットワーク７００を介してサーバ５１０から送信された現在年月のカレンダデータ及び日付に対応付けられた縮小画像データを受信すると、図３０（ｃ）に示すように上記ステップＹ５で選択されたジャンルにかかわる縮小画像を対応する日付欄に表示した現在月の月間カレンダ３１１を表示する（ステップＹ６）。
【０２１０】
ユーザがカレンダ３１１で縮小画像を選択・指定するとステップＹ１１に進み（ステップＹ７）、カレンダ３１１の年月選択欄３１３でカレンダの年月を選択・指定すると（ステップＹ８）、携帯電話の制御部は画像検索型カレンダ表示動作プログラムに従って、選択されているジャンル情報及び指定された年月を含むカレンダ送信要求を通信ネットワーク７００を介してサーバ５１０に送信する（ステップＹ９）。
【０２１１】
携帯電話６１０の制御部は通信ネットワーク７００を介してサーバ５１０から送信された指定年月のカレンダデータ及び日付に対応付けられた縮小画像データを受信すると図３０（ｃ）に示すように上記ステップＹ５で選択されたジャンルにかかわる縮小画像を対応する日付欄に表示した指定年月の月間カレンダを表示してステップＹ７に戻る（ステップＹ１０）。
【０２１２】
ユーザが月間カレンダ３１１に表示されている縮小画像を選択・指定すると、携帯電話６１０の制御部は通信ネットワーク７００を介してサーバ５１０に指定された縮小画像識別情報を含む画像等送信要求を送信し（ステップＹ１１）、サーバ５１０から指定した縮小画像の元画像データ（圧縮画像データ）やメッセージデータ、ＵＲＬ情報、及び詳細情報を受信すると図３０（ｄ）に示すように画像３１５、説明メッセージ３１６、及びＵＲＬ３１７を含む説明画面を表示する（ステップＹ１２）。
【０２１３】
図３０（ｄ）でユーザがＵＲＬを選択・指定すると携帯電話６１０の制御部は通信ネットワーク７００に指定されたＵＲＬを送出し（ステップＹ１３）、ホームページをダウンロードして表示する（ステップＹ１４）。また、図３０（ｄ）で詳細情報表示指示３１９が指定されると（ステップＹ１５）、上記ステップＹ１２で受信した詳細情報を表示する（ステップＹ１６）。
【０２１４】
なお、上記ステップＹ６で縮小画像を画面上の他の画像の表示サイズ（例えば、日付欄の大きさ）等に合わせて相対的に拡大又は縮小して表示することが望ましい。更に、ステップＹ１２で元画像の再生画像を画面上の他の画像の表示サイズ等に合わせて相対的に拡大又は縮小して表示するようにしてもよい。
【０２１５】
・サーバ側の動作  
図３１（ｂ）で、携帯電話６１０からプログラム送信要求を受信すると（ステップＺ１）、サーバ５１０はデータベース５２０から画像検索型カレンダ表示動作プログラムを取り出してプログラム送信要求元の端末（この場合は、携帯電話６１０）宛てに送信する（ステップＺ２）。
【０２１６】
また、携帯電話６１０からジャンル情報及び年月を含むカレンダ送信要求を受信すると（ステップＺ３）、サーバ５１０は受信した年月のカレンダデータを生成すると共に（ステップＺ４）、データベース５２０から受信したジャンルの指定された年月の縮小画像データを取り出して生成したカレンダデータと共にカレンダ送信要求元の端末宛てに送信する（ステップＺ５）。
【０２１７】
また、携帯電話６１０から縮小画像識別情報とジャンル情報を含む画像等送信要求を受信すると（ステップＺ６）、サーバ５１０は受信した縮小画像識別情報を元に当該縮小画像データの元画像データ（圧縮画像データ）とそれに関連するメッセージデータ、ＵＲＬ情報及び詳細情報をデータベース５２０から取り出して送信要求元の端末宛てに送信する（ステップＺ７）。
【０２１８】
上記図３１のフローチャートに示した動作により、携帯電話６１０のユーザは指定したジャンルの画像情報を月間カレンダで一覧できるので、何日に所望のイベントが開催されるかとか、いつごろ何処の蓮の花が開花しそうだといった情報を一目で把握できる。また、カレンダに表示されている画像を選択・指定するといった簡単でかつ最小の操作で詳細な情報を閲覧できる。
【０２１９】
なお、上記説明では画像検索型カレンダ表示動作プログラムをサーバから情報端末にダウンロードするものとしたが、画像検索型カレンダ表示動作プログラムは情報端末側のメモリに予めインストールされていてもよい。
【０２２０】
以上、本発明の一実施例について説明したが本発明は上記実施例に限定されるものではなく、種々の変形実施が可能であることはいうまでもない。
【図面の簡単な説明】
【０２２１】
【図１】本発明の時計と画像の連動表示方法及びカレンダと画像の連動表示方法を適用可能な画像表示装置の一実施例の外観を示す図である。
【図２】図１に示したデジタルカメラの内部構成例を示すブロック図である。
【図３】メモリーカードの記憶領域の構成例を示す図である。
【図４】連動情報テーブルの構成例を示す図である。
【図５】連動表示処理選択画面の一実施例を示す図である。
【図６】時計と縮小画像の連動表示例を示す図である。
【図７】時計と画像の連動表示動作例を示すフローチャートである。
【図８】時計＆画像表示サブプログラムの動作例を示すフローチャートである。
【図９】時計とスライドショーの連動表示動作例を示す概略フローチャートである。
【図１０】時計とスライドショー連動表示の一実施例を示す図である。
【図１１】時計とスライドショー連動表示の一実施例を示す図である。
【図１２】時計とスライドショー連動表示の一実施例を示す図である。
【図１３】時計とスライドショー連動表示の一実施例を示す図である。
【図１４】表示画像とその撮影年月のカレンダの連動表示画面の一実施例を示す図である。
【図１５】表示画像とその撮影年月のカレンダの連動表示動作例を示すフローチャートである。
【図１６】カレンダ上への画像連動表示の一実施例を示す図である。
【図１７】カレンダ上への画像連動表示の一実施例を示す図である。
【図１８】カレンダ上への画像連動表示の一実施例を示す図である。
【図１９】カレンダ上への画像連動表示動作例を示すフローチャートである。
【図２０】日別カレンダ上への画像連動表示の他の実施例を示す図である。
【図２１】日別カレンダ上への画像連動表示の他の実施例を示す図である。
【図２２】日別カレンダ上への画像連動表示の他の実施例を示す図である。
【図２３】カレンダの日付に無関係に指定された時間帯に撮影された画像の再生表示の一実施例を示す図である。
【図２４】指定された時間帯に撮影された画像の再生表示例を示すフローチャートである。
【図２５】画像が連動表示されているカレンダ上の情報表示の幾つかの実施例を示す図である。
【図２６】バーグラフ付きカレンダ上への画像連動表示の一実施例を示す図である。
【図２７】バーグラフ表示付きカレンダ上への画像連動表示の一実施例を示す図である。
【図２８】バーグラフ表示付きカレンダ上への画像連動表示動作例を示すフローチャートである。
【図２９】画像検索型カレンダ表示システムのネットワーク構成例を示す図である。
【図３０】携帯電話又はパソコンによる画像検索型カレンダ表示動作時に表示される画面の例を示す図である。
【図３１】画像検索型カレンダ表示システムパソコンにおける各種端末とサーバの動作例を示すフローチャートである。
【符号の説明】
【０２２２】
１３  信号処理部（画像再生手段）
２０  制御部（画像表示手段、時刻変更手段、カレンダ変更手段、強調表示手段、代表画像表示手段）
３９  ＤＩＳＰボタン（表示切替え手段）
４０  表示部（画像表示手段、アナログ時計表示手段、カレンダ表示手段）
５１  メモリーカード（メモリ）
８１、１０１  アナログ時計（時計、アナログ表示された時計）
８４、１６１、１７１、１８１  縮小画像（画像、縮小画像）
８５、１０２、１４１  画像（元画像、再生画像）
１００  デジタルカメラ（画像表示装置、撮像装置）
１６０、１７０、１８０、２０１、２０２、２１０、２２０、２３０  カレンダ
５１０  サーバ
５２０  データベース
６１０  携帯電話（情報端末、画像表示装置、撮像装置）
６２０  パーソナルコンピュータ（情報端末、画像表示装置）
７００  通信ネットワーク
８００  画像検索型カレンダ表示システム
【図１】
2005130275.tif 000003
【図２】
2005130275.tif 000004
【図３】
2005130275.tif 000005
【図４】
2005130275.tif 000006
【図５】
2005130275.tif 000007
【図６】
2005130275.tif 000008
【図７】
2005130275.tif 000009
【図８】
2005130275.tif 000010
【図９】
2005130275.tif 000011
【図１０】
2005130275.tif 000012
【図１１】
2005130275.tif 000013
【図１２】
2005130275.tif 000014
【図１３】
2005130275.tif 000015
【図１４】
2005130275.tif 000016
【図１５】
2005130275.tif 000017
【図１６】
2005130275.tif 000018
【図１７】
2005130275.tif 000019
【図１８】
2005130275.tif 000020
【図１９】
2005130275.tif 000021
【図２０】
2005130275.tif 000022
【図２１】
2005130275.tif 000023
【図２２】
2005130275.tif 000024
【図２３】
2005130275.tif 000025
【図２４】
2005130275.tif 000026
【図２５】
2005130275.tif 000027
【図２６】
2005130275.tif 000028
【図２７】
2005130275.tif 000029
【図２８】
2005130275.tif 000030
【図２９】
2005130275.tif 000031
【図３０】
2005130275.tif 000032
【図３１】
2005130275.tif 000033